(57)【特許請求の範囲】
【請求項１】
式（Ｉａ）または（ＩＩａ）：
【化１】
0005519136.tif 000047
の蛍光染料、これらの有機または無機酸塩、光学異性体および幾何異性体、ならびに水和物などの溶媒和物
［式（Ｉａ）及び（ＩＩａ）において：
・Ｒ３及びＲ４は同一でも異なってもよく、以下のものを表し：
−水素原子
−（Ｃ１−Ｃ４）アルキル基
−Ｍ＋がアルカリ金属を表すかＭ＋及びＡｎ−が不存在である−Ｃ（Ｏ）Ｏ−Ｍ＋；
−カルボキシル
・Ｒｇ、Ｒ’ｇ、及びＲｈは同一または異なってもよく、水素またはハロゲン原子、（ジ）（Ｃ１−Ｃ４）（アルキル）アミノ、ヒドロキシル、アシルアミノ、（Ｃ１−Ｃ４）アルコキシ、または（Ｃ１−Ｃ４）アルキルカルボニルアミノ基、または（Ｃ１−Ｃ６）アルキル基を表し；
・二つの基Ｒｃ及びＲ’ｇ及び／またはＲｄ及びＲｇは、一つ以上の（Ｃ１−Ｃ６）アルキル基で任意に置換された飽和複素環またはヘテロアリールを共に形成し；
・Ｒｃ及びＲｄは同一または異なってもよく、水素原子、任意に置換された（Ｃ１−Ｃ６）アルキル基、アリール（Ｃ１−Ｃ４）アルキル基、又は任意に置換された（Ｃ１−Ｃ６）アルキル基を表し；
・あるいは、同じ窒素原子によって有される二つの基Ｒｃ及びＲｄは、複素環またはヘテロアリール基を共に形成する；
・Ｔａはσ共有結合、または−Ｎ（Ｒ）−、−Ｃ（Ｏ）−Ｎ（Ｒ）−及びＮ（Ｒ）−Ｃ（Ｏ）−から選択される基を表す；
・ｍ及びｎは同一でも異なってもよく、１から６の間の、境界値を含む整数を表し、ｍ＋ｎの合計は２から６の間の、境界値を含む整数を表し；
・Ａｎ−がアニオン性対イオンを表す；及び
・Ｙはｉ）水素原子；ｉｉ）アルカリ金属；ｉｉｉ）アルカリ土類金属；ｉｖ）アンモニウム基：Ｎ＋ＲαＲβＲγＲδ、またはホスホニウム基：Ｐ＋ＲαＲβＲγＲδを表し、ここでＲα、Ｒβ、Ｒγ、及びＲδは同一または異なってもよく、水素原子または（Ｃ１−Ｃ４）アルキル基を表し；あるいはｖ）チオール官能基保護基を表し；
・式（Ｉａ）または（ＩＩａ）の化合物が他のカチオン性部分を含む場合、それらは、式（Ｉａ）または（ＩＩａ）が電気的中性を達成することを可能にする一つ以上のアニオン性対イオンと会合していると解される］。
【請求項２】
Ｙが水素原子またはアルカリ金属を表す、請求項１に記載の式（ＩＩａ）の蛍光染料。
【請求項３】
Ｙが保護基を表す、請求項１に記載の式（ＩＩａ）の蛍光染料。
【請求項４】
Ｙが、下記の基：
（Ｃ１〜Ｃ４）アルキルカルボニル；
（Ｃ１〜Ｃ４）アルキルチオカルボニル；
（Ｃ１〜Ｃ４）アルコキシカルボニル；
（Ｃ１〜Ｃ４）アルコキシチオカルボニル；
（Ｃ１〜Ｃ４）アルキルチオチオカルボニル；
（ジ）（Ｃ１〜Ｃ４）（アルキル）アミノカルボニル；
（ジ）（Ｃ１〜Ｃ４）（アルキル）アミノチオカルボニル；
アリールカルボニル；
アリールオキシカルボニル；
アリール（Ｃ１〜Ｃ４）アルコキシカルボニル；
（ジ）（Ｃ１〜Ｃ４）（アルキル）アミノカルボニル；
（Ｃ１〜Ｃ４）（アルキル）アリールアミノカルボニル；
カルボキシル；
ＳＯ３−；Ｍ＋、ここで、Ｍ＋はアルカリ金属を表し、あるいは式（ＩＩａ）のＡｎ−およびＭ＋は存在しない；
任意選択で置換されたアリール；
任意選択で置換されたヘテロアリール；
任意選択でカチオン性の、任意選択で置換されたヘテロシクロアルキル；
下記の基；
【化２】
0005519136.tif 000048
｛式中、Ｒ’ｃ、Ｒ’ｄ、Ｒ’ｅ、Ｒ’ｆ、Ｒ’ｇおよびＲ’ｈは、同一でも異なっていてもよく、水素原子または（Ｃ１〜Ｃ４）アルキル基を表し、あるいは２つの基Ｒ’ｇとＲ’ｈ、および／またはＲ’ｅとＲ’ｆがオキソまたはチオキソ基を形成するか、あるいはＲ’ｇがＲ’ｅと、一緒になってシクロアルキルを形成し；ｖが１と３との間の、境界値を含む整数を表し；好ましくはＲ’ｃからＲ’ｈが水素原子を表し；Ａｎ’−はアニオン性対イオンを表す；｝
イソチオウロニウム
−Ｃ（ＮＲ’ｃＲ’ｄ）＝Ｎ＋Ｒ’ｅＲ’ｆ；Ａｎ’−、ここで、Ｒ’ｃ、Ｒ’ｄ、Ｒ’ｅおよびＲ’ｆは、同一でも異なっていてもよく、水素原子または（Ｃ１〜Ｃ４）アルキル基を表し、Ａｎ’−は上記に定義の通りである；
イソチオ尿素
−Ｃ（ＮＲ’ｃＲ’ｄ）＝ＮＲ’ｅ；Ａｎ’−、ここで、Ｒ’ｃ、Ｒ’ｄ、Ｒ’ｅおよびＡｎ’−は、上記に定義の通りである；
任意選択で置換された（ジ）アリール（Ｃ１〜Ｃ４）アルキル；
任意選択で置換された（ジ）ヘテロアリール（Ｃ１〜Ｃ４）アルキル；
−ＣＲ１Ｒ２Ｒ３、ここで、Ｒ１、Ｒ２およびＲ３は、同一でも異なっていてもよく、ハロゲン原子または：
｛（Ｃ１〜Ｃ４）アルキル；
（Ｃ１〜Ｃ４）アルコキシ；
任意選択で置換されたアリール；
任意選択で置換されたヘテロアリール；
Ｐ（Ｚ１）Ｒ’１Ｒ’２Ｒ’３、ここで、Ｒ’１およびＲ’２は、同一でも異なっていてもよく、ヒドロキシル、（Ｃ１〜Ｃ４）アルコキシまたはアルキル基を表し、Ｒ’３はヒドロキシルまたは（Ｃ１〜Ｃ４）アルコキシ基を表し、Ｚ１は酸素またはイオウ原子を表す；
から選択される基｝を表す；
立体的に妨害された環式基；および
任意選択で置換されたアルコキシアルキル
から選択される保護基を表す、請求項３に記載の式（ＩＩａ）の蛍光染料。
【請求項５】
Ｙが、アルカリ金属、または下記の基：
｛（Ｃ１〜Ｃ４）アルキルカルボニル；
アリールカルボニル；
（Ｃ１〜Ｃ４）アルコキシカルボニル；
アリールオキシカルボニル；
アリール（Ｃ１〜Ｃ４）アルコキシカルボニル；
（ジ）（Ｃ１〜Ｃ４）（アルキル）アミノカルボニル；
（Ｃ１〜Ｃ４）（アルキル）アリールアミノカルボニル；
任意選択でアリール；
同一でも異なっていてもよい１つまたは複数の（Ｃ１〜Ｃ４）アルキル基によって任意選択で置換された５または６員のカチオン性単環式ヘテロアリール；
同一でも異なっていてもよい１つまたは複数の（Ｃ１〜Ｃ４）アルキル基によって任意選択で置換された８から１１員のカチオン性二環式ヘテロアリール；
下記の式：
【化３】
0005519136.tif 000049
のカチオン性複素環；
イソチオウロニウム
−Ｃ（ＮＨ２）＝Ｎ＋Ｈ２；Ａｎ’−；
イソチオ尿素
−Ｃ（ＮＨ２）＝ＮＨ；および
ＳＯ３−；Ｍ＋、ここで、Ｍ＋はアルカリ金属を表し、あるいは式（ＩＩａ）のＡｎ−およびＭ＋は存在しない｝
から選択される保護基を示す、請求項１から４のいずれか一項に記載の式（ＩＩａ）の蛍光染料。
【請求項６】
下記式：
【化４Ａ】
0005519136.tif 000050
【化４Ｂ】
0005519136.tif 000051
【化４Ｃ】
0005519136.tif 000052
【化４Ｄ】
0005519136.tif 000053
【化４Ｅ】
0005519136.tif 000054
【化４Ｆ】
0005519136.tif 000055
｛ここで、Ａｎ−は同一でも異なっていてもよく、アニオン性対イオンを表す｝
の、請求項１に記載の蛍光染料。
【請求項７】
適切な化粧用媒体中に、請求項１から６のいずれか一項に記載の式（Ｉａ）または（ＩＩａ）の蛍光染料を含む染料組成物。
【請求項８】
請求項１から６のいずれか一項に記載の式（Ｉａ）または（ＩＩａ）の少なくとも１つの蛍光染料を含む適切な染料組成物が、任意に還元剤の存在下で、ケラチン物質に適用される、ケラチン物質を染色するための方法。
【請求項９】
前記ケラチン物質が６以下のトーンハイトを有する暗色のケラチン線維である、請求項８に記載のケラチン物質を染色するための方法。
【請求項１０】
ケラチン線維に酸化剤を適用することを含む追加工程を含む、請求項８または９に記載の方法。
【請求項１１】
第１のコンパートメント及び第２のコンパートメントを含むキットであって、前記第１のコンパートメントが請求項１から６のいずれか一項に記載の式（Ｉａ）または（ＩＩａ）の蛍光染料を含む染料組成物を含み、前記第２のコンパートメントが還元剤を含む、キット。
【請求項１２】
ヒトケラチン線維を染色するための、請求項１から６に記載の式（Ｉａ）または（ＩＩａ）の蛍光染料の使用。
【請求項１３】
前記ヒトケラチン線維が、暗色のヒトケラチン線維である、請求項１２に記載の使用。
【請求項１４】
暗色のケラチン線維を明色化するための、請求項１２または１３に記載の使用。
【請求項１５】
前記ケラチン線維が、６未満のトーンハイトを有する、請求項１４に記載の使用。
【発明の詳細な説明】
【技術分野】
【０００１】
本発明は、スチリルテトラキノリニウムチオール／スルフィド蛍光染料を使用するケラチン物質の染色に関する。
【背景技術】
【０００２】
ケラチン線維、特にヒトケラチン線維を、直接染色によって染色することは既知の慣行である。直接染色において従来使用されている方法は、線維への親和性を有する着色された分子または着色性分子である直接染料を、ケラチン線維に適用し、拡散させ、次いで線維をすすぐことを含む。
【０００３】
従来使用されている直接染料は、例えば、ニトロベンゼンタイプの染料、アントラキノン染料、ニトロピリジン染料、あるいはアゾ、キサンテン、アクリジン、アジンまたはトリアリールメタンタイプの染料である。
【０００４】
これら従来の直接染料を使用するケラチン線維の着色は、ケラチン線維を顕著に明色化することを可能にすることはない。
【０００５】
暗色のケラチン線維の色の、任意選択でそのシェイドを変化させることによる、より明るいシェイドへの明色化は、重要な需要を構成する。
【０００６】
従来、より明るい着色を得るために、化学的漂白方法が使用される。この方法は、毛髪などのケラチン線維を、一般にアルカリ性媒体中で場合により過酸塩と組み合わせた過酸化水素から一般になる強力な酸化システムで処理することを含む。
【０００７】
この漂白システムは、ケラチン線維を損傷し、その美容特性に悪影響を与えるという欠点を有する。実際、線維は、ざらつくようになり、もつれを解くのがより難しく、より脆弱化する傾向がある。最終的に、酸化剤によるケラチン線維の明色化または漂白は、特に毛髪ストレート処理において、前記線維の形を変化させるための処理とは両立しない。
【０００８】
別の明色化技術は、暗色の毛髪に、蛍光直接染料を適用することを含む。特に文献ＷＯ０３／０２８６８５およびＷＯ２００４／０９１４７３に記載されているこの技術は、処理の間に、ケラチン線維の質を保持することを可能にする。しかし、これらの蛍光直接染料は、外部の作因に対して満足できる堅牢性を示さない。
【０００９】
直接着色の堅牢性を増加させるために、ジスルフィド染料、特に、国際特許出願ＷＯ２００５／０９７０５１または欧州特許出願ＥＰ１６４７５８０におけるイミダゾリウムクロモフォル染料および国際特許出願ＷＯ２００６／１３４０４３および２００６／１３６６１７におけるピリジニウム／インドリニウムスチリルクロモフォル染料を使用することは既知の慣行である。
【特許文献１】欧州特許出願ＥＰ１１６６７５３
【特許文献２】欧州特許出願ＥＰ１１６６７５７
【特許文献３】ＷＯ０３／０２８６８５
【特許文献４】ＷＯ２００４／０９１４７３
【特許文献５】国際特許出願ＷＯ２００５／０９７０５１
【特許文献６】欧州特許出願ＥＰ１６４７５８０
【特許文献７】国際特許出願ＷＯ２００６／１３４０４３
【特許文献８】国際特許出願ＷＯ２００６／１３６６１７
【特許文献９】国際特許出願ＷＯ２００７／０３９５２７
【特許文献１０】仏国特許ＦＲ２５８６９１３
【非特許文献１】「Science des traitements capillaries」［Hair Treatment Sciences］、Ｃｈａｒｌｅｓ  Ｚｖｉａｋ、１９９８年、Ｍａｓｓｏｎ出版、２１５頁および２７８頁
【非特許文献２】「Protective Groups in Organic Synthesis」、Ｔ．Ｗ．Ｇｒｅｅｎｅ、Ｊｏｈｎ  Ｗｉｌｅｙ  ＆  Ｓｏｎｓ編、ＮＹ、１９８１年、１９３〜２１７頁
【非特許文献３】「Protecting Groups」、Ｐ．Ｋｏｃｉｅｎｓｋｉ、Ｔｈｉｅｍｅ、第３版、２００５年、第５章
【非特許文献４】「Thiols and organic sulfides」、「Thiocyanates and isothiocyanates,organic」、Ｕｌｌｍａｎｎ’ｓ  Ｅｎｃｙｃｌｏｐｅｄｉａ、Ｗｉｌｅｙ−ＶＣＨ、Ｗｅｉｎｈｅｉｍ、２００５年
【非特許文献５】Advanced Organic Chemistry、「Reactions,Mechanisms and Structures」、Ｊ．Ｍａｒｃｈ、第４版、Ｊｏｈｎ  Ｗｉｌｌｅｙ  ＆  Ｓｏｎｓ、ＮＹ、１９９２年
【発明の開示】
【発明が解決しようとする課題】
【００１０】
本発明の目的は、ケラチン物質、特にヒトケラチン線維、特に毛髪を染色するための、既存の漂白方法の欠点を有さない新システムを提供することである。
【００１１】
特に、本発明の１つの目的は、特に生来または人工的に暗色のケラチン線維に対する明色化効果を得るための、連続的なシャンプー作業に対して耐久性があり、ケラチン線維を損傷することがなく、ケラチン線維の美容特性に悪影響を与えることのない、直接染色システムを提供することである。
【００１２】
本発明の別の目的は、ケラチン物質を彩色的な、かつ外部からの攻撃に対して耐久性のある方法で染色することである。本発明はまた、天然の線維またはパーマがかかった線維のいずれであれ、根元から末端までの間を選択的に、低い染色で毛髪のようなケラチン線維を染色する化合物を提供することも目的とする
【課題を解決するための手段】
【００１３】
これの目的は、本発明により達成され、本発明の主題は、下記の式（Ｉ）および（ＩＩ）：
【００１４】
【化１】
0005519136.tif 000002
【００１５】
の染料、これらの有機または無機酸塩、光学異性体および幾何異性体、ならびに水和物などの溶媒和物、から選択される少なくとも１つのジスルフィドまたはチオール蛍光染料を適切な化粧用媒体中に含む染料組成物を、ケラチン物質に適用することを含む、ケラチン物質、特にケラチン線維、特に毛髪などのヒトケラチン線維、より特に暗色の毛髪を染色するための方法であり：
ここで式（Ｉ）および（ＩＩ）において：
【化２】
0005519136.tif 000003
は、フェニル環に融合したアリール、複素環、またはヘテロアリール基を表し；またはフェニル環から不存在であり；環が存在する場合、それは特にベンゾまたはインデノ環、特にベンゾ環を表し;
・Ｇ及びＧ’は同一でも異なってもよく、任意に置換された、特に非置換の−ＮＲｃＲｄ基または（Ｃ１−Ｃ６）アルコキシ基を表し、あるいはＧまたはＧ’は不存在であり；
・ Ｒｃ及びＲｄは同一または異なってもよく、水素原子、任意に置換された（Ｃ１−Ｃ６）アルキル基、アリール（Ｃ１−Ｃ４）アルキル基、（Ｃ１−Ｃ６）アルコキシ（Ｃ１−Ｃ６）アルキル基、または任意に置換された（Ｃ１−Ｃ６）アルキル基を表し；Ｒｃ及びＲｄは特に水素原子、（Ｃ１−Ｃ３）アルキル基、またはｉ）ヒドロキシル基、ｉｉ）アミノ基、ｉｉｉ）（ジ）（Ｃ１−Ｃ３）アルキルアミノ基、またはｉｖ）第四級アンモニウム基（Ｒ”）（Ｒ”’）（Ｒ””）Ｎ＋−で置換された（Ｃ１−Ｃ３）アルキル基を表し;
・ または同じ窒素原子によって有される二つのＲｃ及びＲｄは、共に複素環またはヘテロアリール基を形成し；特に複素環は単環であり、５から７の間の員数を含み、ヘテロアリールは二環であり、７から１１の員数を含む；とりわけ、前記基はピペリジニル、イミダゾリル、ピロリジニル、及びインドリルから選択され；複素環は少なくとも一つのヒドロキシル基で置換されることが可能である；
・ Ｒｇ、Ｒ’ｇ、Ｒ”ｇ、Ｒ”’ｇ、Ｒｈ、及びＲ”’ｈは、同一でも異なってもよく、水素またはハロゲン原子、アミノ、（ジ）（Ｃ１−Ｃ４）アルキルアミノ、シアノ、カルボキシル、ヒドロキシル、トリフルオロメチル、アシルアミノ、Ｃ１−Ｃ４アルコキシ、Ｃ２−Ｃ４（ポリ）ヒドロキシアルコキシ、（Ｃ１−Ｃ４）アルキルカルボニルオキシ、（Ｃ１−Ｃ４）アルコキシカルボニル、（Ｃ１−Ｃ４）アルキルカルボニルアミノ、アシルアミノ、カルバモイル、または（Ｃ１−Ｃ４）アルキルスルホニルアミノ基、またはアミノスルホニル基、あるいは（Ｃ１−Ｃ１２）アルコキシ、ヒドロキシル、シアノ、カルボキシ、アミノ、及び（ジ）（Ｃ１−Ｃ４）アルキルアミノから選択される基で任意に置換された（Ｃ１−Ｃ１６）アルキル基を表し、あるいはアミノ基の窒素原子によって有される二つのアルキル基は、５から７の員数を含み、窒素原子と同一または異なる別のヘテロ原子を任意に含む複素環を形成し；特にＲｇ、Ｒ’ｇ、Ｒ”ｇ、Ｒ”’ｇ、Ｒｈ、及びＲ”’ｈは水素原子を表し；あるいは二つの隣接する炭素原子によって有される二つの基Ｒｇ及びＲ’ｇ、Ｒ”ｇ及びＲ”’ｇは、ベンゾまたはインデノ環を共に形成し、あるいは融合複素環式アルキル、または融合ヘテロアリール基を形成し；ベンゾ、インデノ、複素環式アルキル、またはヘテロアリール環は、ハロゲン原子、（Ｃ１−Ｃ４）アルキル、アミノ、（Ｃ１−Ｃ４）アルキルアミノ、（Ｃ１−Ｃ４）ジアルキルアミノ、シアノ、カルボキシル、ヒドロキシル、またはトリフルオロメチル基、アシルアミノ、Ｃ１−Ｃ４アルコキシ、Ｃ２−Ｃ４（ポリ）ヒドロキシアルコキシ、アルキルカルボニルオキシ、アルコキシカルボニル、またはアルキルカルボニルアミノ基、アシルアミノ、カルバモイル、またはアルキルスルホニルアミノ基、アミノスルホニル基、あるいは（Ｃ１−Ｃ１２）アルコキシ、ヒドロキシ、シアノ、カルボキシル、アミノ、（Ｃ１−Ｃ４）アルキルアミノ、及び（Ｃ１−Ｃ４）ジアルキルアミノから選択される基で任意に置換された（Ｃ１−Ｃ１６）アルキル基で任意に置換され；あるいはアミノ基の窒素原子によって有される二つのアルキル基は、５から７の員数を含み、窒素原子と同一または異なる別のヘテロ原子を任意に含む複素環を形成し；特にＲｇ及びＲ’ｇ、Ｒ”ｇ及びＲ”’ｇは共にベンゾ
基を形成し；
・ あるいは、Ｇ及び／またはＧ’が−ＮＲｃＲｄを表す場合、二つの基Ｒｃ及びＲ’ｇ、Ｒｄ及びＲｇ及び／またはＲｃ及びＲ”ｇ、Ｒｄ及びＲ”’ｇは、一つ以上の（Ｃ１−Ｃ６）アルキル基で任意に置換された飽和へテロアリールまたは複素環を共に形成し；特に複素環またはヘテロアリールは、窒素及び酸素から選択される一つまたは二つのヘテロ原子を含み、複素環は５から７の員数を含み、ヘテロアリールは７から１１の員数を含み；特に複素環はモルホリニル、ピペラジニル、ピペリジニル、ホモピペリジニル、及びピロリジニル基から選択され、ヘテロアリールはインドリルであり；
・ Ｒ’ｉ及びＲ”’ｉは同一でも異なってもよく、水素原子または（Ｃ１−Ｃ４）アルキル基を表し；特にＲ’ｉ及びＲ”’ｉは水素原子を表し；
・ Ｒｉを有するＲ’ｈ及びＲ”ｉを有するＲ”ｈは、それらを有する炭素原子と共に、ピリジニウム基に融合した任意に置換されたＣ５−Ｃ７シクロアルキル基、特にシクロへキシル基を形成し；Ｒ’ｈまたはＲ”ｈ基、及びＲｉまたはＲ”ｉ基を有するスチリル基は、ピリジニウム基の隣接する炭素原子に位置すると解され；とりわけそれらはピリジニウム基の炭素原子３及び４にそれぞれ位置し；
・ Ｒ１、Ｒ２、Ｒ３、Ｒ４、Ｒ’１、Ｒ’２、Ｒ’３、及びＲ’４は同一または異なってもよく、以下のものを表す：
−水素原子
−（Ｃ１−Ｃ４）アルキル基
−（Ｃ１−Ｃ１２）アルコキシ基
−ヒドロキシル
−シアノ
−Ｍ＋がアルカリ金属を表し、またはＭ＋及びＡｎ−が不存在である−Ｃ（Ｏ）Ｏ−Ｍ＋
−カルボキシル
−（ジ）（Ｃ１−Ｃ４）（アルキル）アミノ、前記アルキル基は、それらを有する窒素原子と共に、５から７の員数を含み、窒素原子と異なっても異なっていなくてもよい別のヘテロ原子を任意に含む複素環を形成することができ；
・ 特にＲ１、Ｒ２、Ｒ３、Ｒ４、Ｒ’１、Ｒ’２、Ｒ’３、及びＲ’４は水素原子、または−Ｃ（Ｏ）Ｏ−Ｍ＋基であり；特にＲ１、Ｒ２、Ｒ３、Ｒ４、Ｒ’１、Ｒ’２、Ｒ’３、及びＲ’４は水素原子であり；
・ Ｔａ、Ｔｂは同一でも異なってもよく、以下のものを表し：
ｉ）σ共有結合か、または
ｉｉ）−ＳＯ２−、−Ｏ−、−Ｓ−、−Ｎ（Ｒ）−、−Ｎ＋（Ｒ）（ＲＯ）−、及び−Ｃ（Ｏ）−から選択される一つ以上の基またはその組み合わせ、ここでＲ及びＲＯは、同一または異なってもよく、水素原子、Ｃ１−Ｃ４アルキル基、Ｃ１−Ｃ４ヒドロキシアルキル基、またはアリール（Ｃ１−Ｃ４）アルキルを表し、特にＴａはＴｂと同一であり、それらはσ共有結合、または−Ｎ（Ｒ）−、−Ｃ（Ｏ）−、−Ｃ（Ｏ）−Ｎ（Ｒ）−、−Ｎ（Ｒ）−Ｃ（Ｏ）−、及び−Ｎ＋（Ｒ）（ＲＯ）−を表し、ここでＲ及びＲＯは、同一または異なってもよく、水素原子、またはＣ１−Ｃ４アルキル基を表し；特にＴａとＴｂは−Ｃ（Ｏ）−Ｎ（Ｒ）−、または−Ｎ（Ｒ）−Ｃ（Ｏ）−を表し；または
ｉｉｉ）特に二つのヘテロ原子、特に二つの窒素原子を含み、特に５から７の員数を含む、好ましくは単環の、カチオン性または非カチオン性の、複素環式アルキルまたはヘテロアリール基、例えばメチルのような（Ｃ１−Ｃ４）アルキル基で任意に置換されたイミダゾリウム、ピリジニウム、またはピロリジニウムを表し；
・ ｍ、ｍ’、ｎ、及びｎ’が同一または異なってもよく、０から６の間の整数を表し、ｍ＋ｎ及びｍ’＋ｎ’は同一または異なってもよく、１から１０の間の整数を表し；特にｍ＋ｎ＝ｍ’＋ｎ’＝２から４の間の整数であり、好ましくはｍ＋ｎ＝ｍ’＋ｎ’＝２であり；
・ Ａｎ−はアニオン性対イオンを表し；及び
・ Ｙはｉ）水素原子；ｉｉ）アルカリ金属；ｉｉｉ）アルカリ土類金属；ｉｖ）アンモニウム基：Ｎ＋ＲαＲβＲγＲδ、またはホスホニウム基：Ｐ＋ＲαＲβＲγＲδを表し、ここでＲα、Ｒβ、Ｒγ、及びＲδは同一または異なってもよく、水素原子または（Ｃ１−Ｃ４）アルキル基を表し；あるいはｖ）チオール官能基保護基を表し；
・ 式（Ｉ）または（ＩＩ）の化合物が他のカチオン部分を含む場合、それは電気的中性を達成するため式（Ｉ）または（ＩＩ）を可能にする一つ以上のアニオン性対イオンと会合すると解される。
【００１６】
本発明の別の主題は、適切な化粧用媒体中に、上記に定義の少なくとも一つのジスルフィド蛍光染料（Ｉ）または一つのチオール蛍光染料（ＩＩ）および任意選択で還元剤を含む染料組成物である。
【００１７】
本発明の主題はまた、上記に定義の式（Ｉ）の新規なジスルフィド蛍光染料と（ＩＩ）の新規なチオール蛍光染料でもある。
【００１８】
本発明の染色方法は、暗色のケラチン物質、特に暗色のヒトケラチン線維、特に暗色の毛髪を、可視的に着色することを可能にする。
【００１９】
さらに、本発明の方法は、毛髪を損傷することなく、シャンプー作業、通常の攻撃（日光、発汗）および他の毛髪の処理に対して耐久性のあるケラチン物質、特にヒトのケラチン線維、特に毛髪の着色を得ることを可能にする。本発明の方法はまた、ケラチン線維などのケラチン物質、特に暗色のケラチン線維、より特に暗色の毛髪の明色化を得ることを可能にする。
【００２０】
さらに、本発明の新しい染料は、酸化剤に関して安定であり、化粧品染色媒体中で満足な溶解性を有する。これらの染料は、黄色から橙色の着色範囲に亘る。ケラチン線維への適用後、式（Ｉ）または（ＩＩ）の染料は、発色性で、且つ外的な攻撃に対して耐久性である態様でケラチン物質を染色し、根元から今朝気まで各種の態様の繊維について低い染色選択性を有する。
【００２１】
本発明の目的において、用語「暗色のケラチン物質」は、Ｃ．Ｉ．Ｅ．Ｌ＊ａ＊ｂ＊システムで測定して、４５以下の明度Ｌ＊、さらに、Ｌ＊＝０が黒に相当し、Ｌ＊＝１００が白に相当することを考慮に入れれば、好ましくは４０以下の明度Ｌ＊を示すことを意味するよう意図される。
【００２２】
本発明の目的において、表現「生来または人工的に暗色の毛髪」は、そのトーンハイト（色調の高さ）が６以下（ダークブロンド）、好ましくは４以下（チェスナットブラウン）であることを意味するよう意図される。
【００２３】
毛髪の明色化は、式（Ｉ）または（ＩＩ）の化合物の適用前および適用後の「トーンハイト」の変化により評価される。「トーン」の概念は、ナチュラルシェイドの分類に基づいており、１つのトーンは各シェイドをそのすぐ次またはすぐ前のシェイドと区別する。この定義およびナチュラルシェイドの分類は、ヘアスタイリング専門家によく知られており、著作「Science des traitements capillaries」［Hair Treatment Sciences］、Ｃｈａｒｌｅｓ  Ｚｖｉａｋ、１９９８年、Ｍａｓｓｏｎ出版、２１５頁および２７８頁、において発表されている。
【００２４】
トーンハイト（色調の高さ）は１（ブラック）から１０（ベリーライトブロンド）までの範囲を有し、１つのユニットが１つのトーンに相当する；数字が大きくなるほど、シェイドは明るくなる。
【００２５】
人工的に着色された毛髪は、染色処理、例えば、直接染料または酸性染料による染色により、その色を変えられた毛髪である。
【００２６】
本発明の目的において、用語「漂白された毛髪」は、トーンハイトが４超（栗色−茶色）、好ましくは６超（暗金色）の毛髪を意味するものと意図される。
【００２７】
本発明の蛍光染料の適用後に毛髪に付与される明色化効果を測定する１つの手段は、毛髪の反射率という現象を利用することである。
【００２８】
好ましくは組成物は、暗色の毛髪に適用した後に下記の結果をもたらすべきである。
−  ４００から７００ナノメートルの波長範囲の可視光線を前記毛髪に照射するとき、毛髪の反射性能レベルに関心を集中する。
−  次いで、本発明の組成物で処理した毛髪と非処理の毛髪について、波長の関数としての反射率曲線を比較する。
−  処理毛髪に対応する曲線は、５００から７００ナノメートルの波長範囲において、非処理毛髪に対応する曲線よりも高い反射率を示すべきである。
−  このことは、５４０から７００ナノメートルの波長範囲において、処理毛髪に対応する反射率曲線が、非処理毛髪に対応する反射率曲線よりも高い、少なくとも１つの範囲が存在することを意味する。用語「より高い」は、反射率において少なくとも０．０５％、好ましくは少なくとも０．１％の差を意味するものと意図される。同様に、５４０から７００ナノメートルの波長範囲において、処理毛髪に対応する反射率曲線が、非処理毛髪に対応する反射率曲線と重なり合うことができるかまたはそれよりも低い少なくとも１つの範囲が存在し得る。
【００２９】
好ましくは、処理毛髪の反射率曲線と非処理毛髪の反射曲線との差が最大である波長は、５００から６５０ナノメートルの波長範囲内、好ましくは５５０から６２０ナノメートルの波長範囲内にある。
【００３０】
本発明の目的において、他に記述がない限り：
−  「アリール」または「ヘテロアリール」基あるいは基のアリールまたはヘテロアリール部分は、下記から選択される炭素原子に有される少なくとも１つの置換基によって置換されていてもよい：
・  基：ヒドロキシル、Ｃ１〜Ｃ２アルコキシ、Ｃ２〜Ｃ４（ポリ）ヒドロキシアルコキシ、アシルアミノおよび、同一であっても異なっていてもよい２つのＣ１〜Ｃ４アルキル基で置換された、任意選択で少なくとも１つのヒドロキシル基を有するアミノ、または場合によりそれが結合している窒素原子とともに、窒素とは同一であっても異なっていてもよい他のへテロ原子を任意選択で含む、飽和または不飽和の、任意選択で置換された５から７員、好ましくは５または６員の複素環を形成し得る２つの基で置換されたアミノ
から選択される１つまたは複数の基により任意選択で置換されたＣ１〜Ｃ１６、好ましくはＣ１〜Ｃ８、アルキル基；
・  塩素、フッ素または臭素などのハロゲン原子；
・  ヒドロキシル基；
・  Ｃ１〜Ｃ２アルコキシ基；
・  Ｃ１〜Ｃ２アルキルチオ基；
・  Ｃ２〜Ｃ４（ポリ）ヒドロキシアルコキシ基；
・  アミノ基；
・  ５または６員のヘテロシクロアルキル基；
・  任意選択でカチオン性の５または６員のヘテロアリール基、任意選択でＣ１〜Ｃ４アルキル基、好ましくはメチルにより置換された、好ましくはイミダゾリウム；
・  同一でも異なっていてもよい１つまたは２つのＣ１〜Ｃ６アルキル基で置換された、任意選択で少なくとも：
ｉ）１つのヒドロキシル基、
ｉｉ）１つまたは２つの任意選択で置換されたＣ１〜Ｃ３アルキル基によって任意選択で置換された１つのアミノ基であって、前記アルキル基は場合により、それが結合している窒素原子とともに、窒素とは異なっていてもいなくてもよい少なくとも１つの他のへテロ原子を任意選択で含む、飽和または不飽和の、任意選択で置換された５から７員の複素環を形成し得る
を有するアミノ基、
・  −ＮＲ−ＣＯＲ’、式中、Ｒ基は水素原子または任意選択で少なくとも１つのヒドロキシル基を有するＣ１〜Ｃ４アルキル基であり、Ｒ’基はＣ１〜Ｃ２アルキル基である；
・  （Ｒ）２Ｎ−ＣＯ−、式中、Ｒ基は同一でも異なっていてもよく、水素原子または任意選択で少なくとも１つのヒドロキシル基を有するＣ１〜Ｃ４アルキル基を表す；
・  Ｒ’ＳＯ２−ＮＲ−、式中、Ｒ基は、水素原子または任意選択で少なくとも１つのヒドロキシル基を有するＣ１〜Ｃ４アルキル基を表し、Ｒ’基はＣ１〜Ｃ４アルキル基またはフェニル基を表す；
・  （Ｒ）２Ｎ−ＳＯ２−、式中、Ｒ基は同一でも異なっていてもよく、水素原子または任意選択で少なくとも１つのヒドロキシル基を有するＣ１〜Ｃ４アルキル基を表す；
・  （好ましくはアルカリ金属またはアンモニウムを有する、飽和または不飽和の）酸または塩の形態のカルボキシル基；
・  シアノ基；
・  同一でも異なっていてもよい１から６個の炭素原子および１から６個のハロゲン原子を含むポリハロアルキル基；前記ポリハロアルキル基は、例えばトリフルオロメチルである；
−  非芳香族基の環式または複素環式部分は、下記の基から選択される少なくとも１つの置換基によって置換されていてもよい：
・  ヒドロキシル；
・  Ｃ１〜Ｃ４アルコキシ；
・  Ｃ１〜Ｃ４アルキル；
・  Ｃ２〜Ｃ４（ポリ）ヒドロキシアルコキシ；
・  Ｃ１〜Ｃ２アルキルチオ基；
・  ＲＣＯ−ＮＲ’−、式中、Ｒ’基は水素原子、または任意選択で少なくとも１つのヒドロキシル基を有するＣ１〜Ｃ４アルキル基であり、Ｒ基はＣ１〜Ｃ２アルキル基または、同一であっても異なっていてもよい２つのＣ１〜Ｃ４アルキル基で置換された、任意選択で少なくとも１つのヒドロキシル基を有するアミノ基である；
・  ＲＣＯ−Ｏ−、式中、Ｒ基はＣ１〜Ｃ４アルキル基、または同一であっても異なっていてもよい１つまたは２つのＣ１〜Ｃ４アルキル基で置換された、任意選択で少なくとも１つのヒドロキシル基を有するアミノ基であって、前記アルキル基は場合により、それが結合している窒素原子とともに、窒素とは異なっていてもいなくてもよい少なくとも１つの他のへテロ原子を任意選択で含む、飽和または不飽和の、任意選択で置換された５から７員の複素環を形成し得る；
・  ＲＯ−ＣＯ−、式中、Ｒ基は、任意選択で少なくとも１つのヒドロキシル基を有するＣ１〜Ｃ４アルキル基である；
−  環式または複素環式基またはアリールまたはヘテロアリール基の非芳香族部分はまた、１つまたは複数のオキソまたはチオキソ基によって置換されてよい：
−  「アリール」基は、６から２２個の炭素原子を含む、縮合または非縮合の、その少なくとも１つの環が芳香族である、単環式または多環式基を表す
；好ましくは、アリール基はフェニル、ビフェニル、ナフチル、インデニル、アントラセニルまたはテトラヒドロナフチルである；
−  「ジアリールアルキル」基は、アルキル基の同一の炭素原子上に、同一でも異なっていてもよい２つのアリール基、例えばジフェニルメチルまたは１，１−ジフェニルエチルなどを含む、基を表す；
−  「ヘテロアリール基」は、５から２２員であり、窒素、酸素、イオウおよびセレニウム原子から選択される１から６個のヘテロ原子を含み、その少なくとも１つの環が芳香族である、任意選択でカチオン性の、縮合または非縮合の、単環式または多環式基を表す；好ましくは、ヘテロアリール基は、アクリジニル、ベンズイミダゾイル、ベンゾビストリアゾイル、ベンゾピラゾリル、ベンゾピリダジニル、ベンゾキノリル、ベンゾチアゾリル、ベンゾトリアゾリル、ベンゾオキサゾリル、ピリジニル、テトラゾリル、ジヒドロチアゾリル、イミダゾピリジニル、イミダゾリル、インドリル、イソキノリル、ナフトイミダゾリル、ナフトオキサゾリル、ナフトピラゾリル、オキサジアゾリル、オキサゾリル、オキサゾロピリジル、フェナジニル、フェノオキサゾリル、ピラジニル、ピラゾリル、ピリリル、ピラゾイルトリアジル、ピリジル、ピリジノイミダゾリル、ピロリル、キノリル、テトラゾリル、チアジアゾリル、チアゾリル、チアゾロピリジニル、チアゾイルイミダゾリル、チオピリリル、トリアゾリル、キサンチリルおよびそのアンモニウム塩から選択される；
−  「ジヘテロアリールアルキル」基は、アルキル基の同一の炭素原子上に、同一でも異なっていてもよい２つのヘテロアリール基、例えばジフリルメチル、１，１−ジフリルエチル、ジピロリルメチルまたはジチエニルメチルなどを含む、基を表す；
−  「環式基」は、縮合または非縮合の、単環式または多環式の、５から２２個の炭素原子を含む非芳香族シクロアルキル基であり、場合により１つまたは複数の不飽和を含む；特に、環式基は、シクロへキシルである；
−  「立体的に妨害された環式」基は、架橋されていてもよい６から１４員からなる、置換または非置換の、芳香族または非芳香族の、立体効果または拘束により妨害された環式基である；立体的に妨害された基として、ビシクロ［１．１．０］ブタン、１，３，５−トリメチルフェニル、１，３，５−トリ−ｔｅｒｔ−ブチルフェニル、１，３，５−イソブチルフェニル、１，３，５−トリメチルシリルフェニルおよびアダマンチルなどのメシチルを挙げることができる；
−  「複素環式基または複素環」は、窒素、酸素、イオウおよびセレニウムから選択される１から６個のヘテロ原子を含む、縮合または非縮合の、単環式または多環式の、５から２２員の非芳香族基である；
−  「アルキル基」は、直鎖状、または分枝状の、Ｃ１〜Ｃ１６、好ましくはＣ１〜Ｃ８の炭化水素ベースの基である；
−  アルキル基に付けられた表現「任意選択で置換された」は、前記アルキル基が、下記の基：ｉ）ヒドロキシル；ｉｉ）Ｃ１〜Ｃ４アルコキシ；ｉｉｉ）アシルアミノ；ｉｖ）同一でも異なっていてもよい１つまたは２つのＣ１〜Ｃ４アルキル基によって任意選択で置換されたアミノであって、前記アルキル基は場合により、それらを有している窒素原子とともに、窒素とは異なっていてもいなくてもよい他のへテロ原子を任意選択で含む、５から７員の複素環を形成し得る、アミノ；ｖ）あるいは第４級アンモニウム基−Ｎ＋Ｒ’Ｒ”Ｒ”’、Ｍ−、ここで、Ｒ’、Ｒ”、Ｒ”’は同一でも異なっていてもよく、水素原子またはＣ１〜Ｃ４アルキル基を表し、あるいは−Ｎ＋Ｒ’Ｒ”Ｒ”’は、任意選択でＣ１〜Ｃ４アルキル基により置換されたイミダゾリウムなどのヘテロアリールを形成し、Ｍ−は対応する有機酸、無機酸またはハロゲン化物の対イオンを表す
から選択される１つまたは複数の基で置換されていてもよいことを含意する；
−  「アルコキシ基」は、アルキルオキシまたはアルキル−Ｏ−基であり、ここで、アルキル基は、直鎖状、または分枝状の、Ｃ１〜Ｃ１６、好ましくはＣ１〜Ｃ８の炭化水素ベースの基である；
−  「アルキルチオ基」は、アルキル−Ｓ−基であり、ここで、アルキル基は、直鎖状、または分枝状の、Ｃ１〜Ｃ１６、好ましくはＣ１〜Ｃ８の炭化水素ベースの基である；アルキルチオ基が任意選択で置換されているとき、それはアルキル基が上記に定義のように任意選択で置換されていることを含意する；
−  値の範囲の限度を定める境界値は、この値の範囲に含まれる；
−  「有機または無機酸の塩」は、より特に：ｉ）塩酸ＨＣｌ；ｉｉ）臭化水素酸ＨＢｒ；ｉｉｉ）硫酸Ｈ２ＳＯ４；ｉｖ）メチルスルホン酸およびエチルスルホン酸などのアルキルスルホン酸：Ａｌｋ−Ｓ（Ｏ）２ＯＨ；ｖ）ベンゼンスルホン酸およびトルエンスルホン酸などのアリールスルホン酸：Ａｒ−Ｓ（Ｏ）２ＯＨ；ｖｉ）クエン酸；ｖｉｉ）コハク酸；ｖｉｉｉ）酒石酸；ｉｘ）乳酸；ｘ）メトキシスルフィン酸およびエトキシスルフィン酸などのアルコキシスルフィン酸：Ａｌｋ−Ｏ−Ｓ（Ｏ）ＯＨ；ｘｉ）トルエンオキシスルフィン酸およびフェノキシスルフィン酸などのアリールオキシスルフィン酸；ｘｉｉ）リン酸Ｈ３ＰＯ４；ｘｉｉｉ）酢酸ＣＨ３ＣＯＯＨ；ｘｉｖ）トリフルオロメタンスルホン酸ＣＦ３ＳＯ３Ｈならびにｘｖ）テトラフルオロホウ酸ＨＢＦ４から誘導される塩から選択される；
−  「アニオン性対イオン」は、染料のカチオン電荷に付随するアニオンまたはアニオン性基である；より特に、アニオン性対イオンは：ｉ）塩化物または臭化物などのハロゲン化物；ｉｉ）ナイトレート；ｉｉｉ）スルホネート、中でも、メチルスルホネートまたはメシレートおよびエチルスルホネートなどのＣ１〜Ｃ６アルキルスルホネート：Ａｌｋ−Ｓ（Ｏ）２Ｏ−；ｉｖ）ベンゼンスルホネートおよびトルエンスルホネートまたはトシレートなどのアリールスルホネート：Ａｒ−Ｓ（Ｏ）２Ｏ−；ｖ）シトレート；ｖｉ）サクシネート；ｖｉｉ）タータレート；ｖｉｉｉ）ラクテート；ｉｘ）メチルサルフェートおよびエチルサルフェートなどのアルキルサルフェート：Ａｌｋ−Ｏ−Ｓ（Ｏ）Ｏ−；ｘ）ベンゼンサルフェートおよびトルエンサルフェートなどのアリールサルフェート：Ａｒ−Ｏ−Ｓ（Ｏ）Ｏ−；ｘｉ）メトキシサルフェートおよびエトキシサルフェートなどのアルコキシサルフェート：Ａｌｋ−Ｏ−Ｓ（Ｏ）２Ｏ−；ｘｉｉ）アリールオキシサルフェート：Ａｒ−Ｏ−Ｓ（Ｏ）２Ｏ−；ｘｉｉｉ）ホスフェート；ｘｉｖ）アセテート；ｘｖ）トリフレート；およびｘｖｉ）テトラフルオロボレートなどのボレートから選択される；
−  「溶媒和物」は、水和物ならびにエタノール、イソプロパノールまたはｎ−プロパノールなどの直鎖状、または分枝状の、Ｃ１〜Ｃ４アルコールとの会合物も表す。
【００３１】
式（Ｉ）のジスルフィド蛍光染料または式（ＩＩ）のチオール蛍光染料は、ＵＶ光または可視光範囲において２５０ｎｍと８００ｎｍとの間の波長γａｂｓで吸収することができ、４００ｎｍと８００ｎｍとの間の発光波長γｅｍにおいて可視光範囲における再放出ができる化合物である。
【００３２】
好ましくは、本発明の式（Ｉ）または（ＩＩ）の蛍光化合物は、４００ｎｍと８００ｎｍとの間の可視光範囲γａｂｓにおいて吸収し、４００ｎｍと８００ｎｍとの間の可視光範囲γｅｍにおいて再放出することができる染料である。より好ましくは、式（Ｉ）または（ＩＩ）の染料は、４２０ｎｍと５５０ｎｍとの間のγａｂｓにおいて吸収することができ、４７０ｎｍと６００ｎｍとの間のγｅｍで可視光範囲において再放出することができる染料である。
【００３３】
式（ＩＩ）の本発明の蛍光化合物は、ＳＹ基を含み、ＳＹ基は、Ｙの性質および媒体のｐＨに応じて、共有結合形態−Ｓ−Ｙまたはイオン形態−Ｓ−Ｙ＋であってよい。
【００３４】
特定の一実施形態は、Ｙが水素原子またはアルカリ金属を表すＳＹ官能基を含む式（ＩＩ）のチオール蛍光染料に関する。有利には、Ｙは水素原子を表す。
【００３５】
本発明の別の特定の実施形態によれば、前記の式（ＩＩ）において、Ｙは当業者に既知の保護基、例えば著作「Protective Groups in Organic Synthesis」、Ｔ．Ｗ．Ｇｒｅｅｎｅ、Ｊｏｈｎ  Ｗｉｌｅｙ  ＆  Ｓｏｎｓ編、ＮＹ、１９８１年、１９３〜２１７頁；「Protecting Groups」、Ｐ．Ｋｏｃｉｅｎｓｋｉ、Ｔｈｉｅｍｅ、第３版、２００５年、第５章に記載されているものである。保護基としてのＹは、それが結合しているイオウ原子とともにジスルフィド染料を構成することはできない、すなわち、式中ｎ＝ｍ＝１である式（ＩＩ）を構成することはできないということが理解される。保護基としてのＹは、別の酸化されていないイオウ原子を介して、式（Ｉ）および（ＩＩ）のイオウ原子と直接結合する基を表すことはできない。
【００３６】
特に、Ｙがチオール−官能基−保護基を表すとき、Ｙは下記の基から選択される：
・  （Ｃ１〜Ｃ４）アルキルカルボニル；
・  （Ｃ１〜Ｃ４）アルキルチオカルボニル；
・  （Ｃ１〜Ｃ４）アルコキシカルボニル；
・  （Ｃ１〜Ｃ４）アルコキシチオカルボニル；
・  （Ｃ１〜Ｃ４）アルキルチオチオカルボニル；
・  （ジ）（Ｃ１〜Ｃ４）（アルキル）アミノカルボニル；
・  （ジ）（Ｃ１〜Ｃ４）（アルキル）アミノチオカルボニル；
・  アリールカルボニル、例えばフェニルカルボニルなど；
・  アリールオキシカルボニル；
・  アリール（Ｃ１〜Ｃ４）アルコキシカルボニル；
・  （ジ）（Ｃ１〜Ｃ４）（アルキル）アミノカルボニル、例えばジメチルアミノカルボニルなど；
・  （Ｃ１〜Ｃ４）（アルキル）アリールアミノカルボニル；
・  ＳＯ３−；Ｍ＋、ここで、Ｍ＋は、ナトリウムまたはカリウムなどのアルカリ金属を表し、あるいはＱ−または式（Ｉ）または（ＩＩ）のＡｎ’−およびＭ＋は存在しない；
・  任意選択で置換されたアリール、例えば、フェニル、ジベンゾスベリルまたは１，３，５−シクロヘプタトリエニルなど；
・  任意選択で置換されたヘテロアリール；特に、カチオン性または非カチオン性の１から４個のヘテロ原子を含む下記のヘテロアリール：
ｉ）５、６または７員の単環式、例えばフラニルまたはフリル、ピロリルまたはピリル、チオフェニルまたはチエニル、ピラゾリル、オキサゾリル、オキサゾリウム、イソオキサゾリル、イソオキサゾリウム、チアゾリル、チアゾリウム、イソチアゾリル、イソチアゾリウム、１，２，４−トリアゾリル、１，２，４−トリアゾリウム、１，２，３−トリアゾリル、１，２，３−トリアゾリウム、１，２，４−オキサゾリル、１，２，４−オキサゾリウム、１，２，４−チアジアゾリル、１，２，４−チアジアゾリウム、ピリリウム、チオピリジル、ピリジニウム、ピリミジニル、ピリミジニウム、ピラジニル、ピラジニウム、ピリダジニル、ピリダジニウム、トリアジニル、トリアジニウム、テトラジニル、テトラジニウム、アセピン、アゼピニウム、オキサゼピニル、オキサゼピニウム、チエピニル、チエピニウム、イミダゾリル、イミダゾリウムなど；
ｉｉ）８から１１員の二環式、例えば、インドリル、インドリニウム、ベンゾイミダゾリル、ベンゾイミダゾリウム、ベンゾオキサゾリル、ベンゾオキサゾリウム、ジヒドロベンゾオキサゾリニル、ベンゾチアゾリル、ベンゾチアゾリウム、ピリドイミダゾリル、ピリドイミダゾリウム、チエノシクロヘプタジエニルなど、これらの単環式または二環式基は、（Ｃ１〜Ｃ４）アルキル、例えばメチル、またはポリハロ（Ｃ１〜Ｃ４）アルキル、例えばトリフルオロメチルなどの１つまたは複数の基によって、任意選択で置換されている；
ｉｉｉ）あるいは下記の三環式ＡＢＣ：
【００３７】
【化３】
0005519136.tif 000004
【００３８】
式中、２つの環Ａ、Ｃは、任意選択でヘテロ原子を含み、環Ｂは、５、６または７員、特に６員の環であり、少なくとも１つのヘテロ原子、例えばピペリジルまたはピラニル
を含む；
・  任意選択でカチオン性の、任意選択で置換されたヘテロシクロアルキルであって、このヘテロシクロアルキル基は、特に、飽和または部分的に飽和の、酸素、イオウおよび窒素から選択される１から４個のヘテロ原子を含む５、６または７員の単環式基、例えば、ジ／テトラヒドロフラニル、ジ／テトラヒドロチオフェニル、ジ／テトラヒドロピロリル、ジ／テトラヒドロピラニル、ジ／テトラ／ヘキサヒドロチオピラニル、ジヒドロピリジル、ピペラジニル、ピペリジニル、テトラメチルピペリジニル、モルホリニル、ジ／テトラ／ヘキサヒドロアゼピニルまたはジ／テトラヒドロピリミジニルなどを表し、これらの基は、（Ｃ１〜Ｃ４）アルキル、オキソまたはチオキソなどの１つまたは複数の基によって、任意選択で置換されている；あるいは複素環は下記の基を表す：
【００３９】
【化４】
0005519136.tif 000005
【００４０】
式中、Ｒ’ｃ、Ｒ’ｄ、Ｒ’ｅ、Ｒ’ｆ、Ｒ’ｇおよびＲ’ｈは、同一でも異なっていてもよく、水素原子または（Ｃ１〜Ｃ４）アルキル基を表し、あるいは２つの基Ｒ’ｇとＲ’ｈ、および／またはＲ’ｅとＲ’ｆがオキソまたはチオキソ基を形成するか、あるいはＲ’ｇがＲ’ｅと、一緒になってシクロアルキルを形成し；ｖが１と３との間の、境界値を含む整数を表し；好ましくはＲ’ｃからＲ’ｈが水素原子を表し；Ａｎ”’−はアニオン性対イオンを表す；
・ イソチオウロニウム
・ −Ｃ（ＮＲ’ｃＲ’ｄ）＝Ｎ＋Ｒ’ｅＲ’ｆ；Ａｎ”’−、ここで、Ｒ’ｃ、Ｒ’ｄ、Ｒ’ｅおよびＲ’ｆは、同一でも異なっていてもよく、水素原子または（Ｃ１〜Ｃ４）アルキル基を表し、好ましくはＲ’ｃからＲ’ｆが水素原子を表し；Ａｎ”’−は対イオンを表す；
・ イソチオ尿素
・ −Ｃ（ＮＲ’ｃＲ’ｄ）＝ＮＲ’ｅ；ここで、Ｒ’ｃ、Ｒ’ｄおよびＲ’ｅは、上記に定義の通りである；
・  任意選択で置換された（ジ）アリール（Ｃ１〜Ｃ４）アルキル、例えば、（Ｃ１〜Ｃ４）アルキル、メトキシ、ヒドロキシル、アルキルカルボニルなどの（Ｃ１〜Ｃ４）アルコキシ、およびジメチルアミノなどの（ジ）（Ｃ１〜Ｃ４）（アルキル）アミノから特に選択される１つまたは複数の基によって任意選択で置換された９−アントラセニルメチル、フェニルメチルまたはジフェニルメチルなど；
・  任意選択で置換された（ジ）ヘテロアリール（Ｃ１〜Ｃ４）アルキルであって、このヘテロアリール基は特に、カチオン性または非カチオン性で、窒素、酸素およびイオウから選択される１から４個のヘテロ原子を含む５または６員の単環式基であり、例えば、アルキル、特にメチルなどの１つまたは複数の基によって、任意選択で置換された、ピロリル、フラニル、チオフェニル、ピリジル、４−ピリジルまたは２−ピリジルＮ−オキシドなどのピリジルＮ−オキシド、ピリリウム、ピリジニウムまたはトリアジニルなどであり、有利には、（ジ）ヘテロアリール（Ｃ１〜Ｃ４）アルキルは、（ジ）ヘテロアリールメチルまたは（ジ）ヘテロアリールエチルである；
・  −ＣＲ１Ｒ２Ｒ３、ここで、Ｒ１、Ｒ２およびＲ３は、同一でも異なっていてもよく、ハロゲン原子または：
−  （Ｃ１〜Ｃ４）アルキル；
−  （Ｃ１〜Ｃ４）アルコキシ；
−  任意選択で置換されたアリール、例えば、（Ｃ１〜Ｃ４）アルキル、（Ｃ１〜Ｃ４）アルコキシまたはヒドロキシルなどの１つまたは複数の基によって任意選択で置換されたフェニルなど；
−  任意選択で置換されたヘテロアリール、例えば、（Ｃ１〜Ｃ４）アルキル基によって任意選択で置換されたチオフェニル、フラニル、ピロリル、ピラニルまたはピリジル；
−  Ｐ（Ｚ１）Ｒ’１Ｒ’２Ｒ’３、ここで、Ｒ’１およびＲ’２は、同一でも異なっていてもよく、ヒドロキシル、（Ｃ１〜Ｃ４）アルコキシまたはアルキル基を表し、Ｒ’３はヒドロキシルまたは（Ｃ１〜Ｃ４）アルコキシ基を表し、Ｚ１は酸素またはイオウ原子を表す；
から選択される基を表す；
・  立体的に妨害された環式基；および
・  任意選択で置換されたアルコキシアルキル、例えば、メトキシメチル（ＭＯＭ）、エトキシエチル（ＥＯＭ）またはイソブトキシメチルなど。
【００４１】
特定の一実施形態によれば、式（ＩＩ）の被保護（ｐｒｏｔｅｃｔｅｄ）チオール蛍光染料は、ｉ）酸素、イオウおよび窒素から選択される１から４個のヘテロ原子を含むカチオン性の芳香族５または６員単環式ヘテロアリール基、例えばオキサゾリウム、イソオキサゾリウム、チアゾリウム、イソチアゾリウム、１，２，４−トリアゾリウム、１，２，３−トリアゾリウム、１，２，４−オキサゾリウム、１，２，４−チアジアゾリウム、ピリリウム、ピリジニウム、ピリミジニウム、ピラジニル、ピラジニウム、ピリダジニウム、トリアジニウム、テトラジニウム、オキサゼピニウム、チエピニル、チエピニウムまたはイミダゾリウムなど；ｉｉ）カチオン性の８または１１員二環式ヘテロアリール基、例えばインドリニウム、ベンゾイミダゾリウム、ベンゾオキサゾリウムまたはベンゾチアゾリウムなどであって、これらの単環式または二環式ヘテロアリール基は、アルキル、例えばメチル、またはポリハロ（Ｃ１〜Ｃ４）アルキル、例えばトリフルオロメチルなどの１つまたは複数の基によって任意選択で置換されている；ｉｉｉ）または下記の複素環式基：
【００４２】
【化５】
0005519136.tif 000006
【００４３】
式中、Ｒ’ｃおよびＲ’ｄは、同一でも異なっていてもよく、水素原子または（Ｃ１〜Ｃ４）アルキル基を表し；好ましくはＲ’ｃからＲ’ｄは、メチルなどの（Ｃ１〜Ｃ４）アルキル基を表し；Ａｎ”’−は、アニオン性対イオンを表す、である基Ｙを含む。
【００４４】
特に、Ｙはオキサゾリウム、イソオキサゾリウム、チアゾリウム、イソチアゾリウム、１，２，４−トリアゾリウム、１，２，３−トリアゾリウム、１，２，４−オキサゾリウム、１，２，４−チアジアゾリウム、ピリリウム、ピリジニウム、ピリミジニウム、ピラジニウム、ピリダジニウム、トリアジニウムおよびイミダゾリウム、ベンゾイミダゾリウム、ベンゾオキサゾリウム、ベンゾチアゾリウム、から選択される基を表し、これらの基は１つまたは複数の（Ｃ１〜Ｃ４）アルキル基、特にメチルによって任意選択で置換されている。
【００４５】
特に、Ｙはアルカリ金属または：
・  （Ｃ１〜Ｃ４）アルキルカルボニル、例えばメチルカルボニルまたはエチルカルボニルなど；
・  アリールカルボニル、例えばフェニルカルボニルなど；
・  （Ｃ１〜Ｃ４）アルコキシカルボニル；
・  アリールオキシカルボニル；
・  アリール（Ｃ１〜Ｃ４）アルコキシカルボニル；
・  （ジ）（Ｃ１〜Ｃ４）（アルキル）アミノカルボニル、例えば、ジメチルアミノカルボニルなど；
・  （Ｃ１〜Ｃ４）（アルキル）アリールアミノカルボニル；
・  任意選択で置換されたアリール、例えばフェニルなど；
・  ５または６員の単環式ヘテロアリール、例えばイミダゾリルまたはピリジルなど；
・  ５または６員のカチオン性単環式ヘテロアリール、例えば、ピリリウム、ピリジニウム、ピリミジニウム、ピラジニウム、ピリダジニウム、トリアジニウムまたはイミダゾリウムなど；これらの基は、１つまたは複数の、同一のまたは異なる（Ｃ１〜Ｃ４）アルキル基、例えばメチルなど、によって任意選択で置換されている；
・  ８から１１員のカチオン性二環式ヘテロアリール、例えば、ベンゾイミダゾリウムまたはベンゾオキサゾリウムなど；これらの基は、１つまたは複数の、同一のまたは異なる（Ｃ１〜Ｃ４）アルキル基、例えばメチルなど、によって任意選択で置換されている；
・  下記の式：
【００４６】
【化６】
0005519136.tif 000007
【００４７】
のカチオン性複素環；
・  イソチオウロニウム−Ｃ（ＮＨ２）＝Ｎ＋Ｈ２；Ａｎ”’−；
・  イソチオ尿素−Ｃ（ＮＨ２）＝ＮＨ；
・  ＳＯ３−、Ｍ＋、ここで、Ｍ＋は、ナトリウムまたはカリウムなどのアルカリ金属を表し、あるいは式（ＩＩ）のＡｎ’−およびＭ＋は存在しない；
などの保護基を表す。
【００４８】
本発明の特定の実施態様によれば、式（Ｉ）のジスルフィド蛍光染料は、中央のジスルフィド基の硫黄原子の間で対称的なＣ２軸を有する。
【００４９】
本発明の特定の一実施形態によれば、本発明の染料は、スチリル基に対して、好ましくはパラ位、即ち１-４-位にアミノ基ＲｃＲｄＮ−を有するフェニル基を有する二つの式（Ｉａ）及び（ＩＩａ）の一方に属する：
【化７】
0005519136.tif 000008
【化８】
0005519136.tif 000009
［式（Ｉａ）及び（ＩＩａ）において：
・ Ｒ３及びＲ４は同一でも異なってもよく、以下のものを表し：
−水素原子
−（Ｃ１−Ｃ４）アルキル基
−Ｍ＋がアルカリ金属を表すかＭ＋及びＡｎ−が不存在である−Ｃ（Ｏ）Ｏ−Ｍ＋；
−カルボキシル
・ Ｒｇ、Ｒ’ｇ、及びＲｈは同一または異なってもよく、水素またはハロゲン原子、（ジ）（Ｃ１−Ｃ４）（アルキル基）アミノ、ヒドロキシル、アシルアミノ、（Ｃ１−Ｃ４）アルコキシ、または（Ｃ１−Ｃ４）アルキルカルボニルアミノ基、または（Ｃ１−Ｃ６）アルキル基を表し；特にＲｇ、Ｒ’ｇ、及びＲｈは水素原子を表し；
・ 二つの基Ｒｃ及びＲ’ｇ及び／またはＲｄ及びＲｇは、一つ以上の（Ｃ１−Ｃ６）アルキル基で任意に置換された飽和複素環またはヘテロアリール、特に複素環、及び窒素及び酸素から選択される一つまたは二つのヘテロ原子を含むヘテロアリールを共に形成し、複素環は５から７の員数を含み、ヘテロアリールは７から１１の員数を含み；特に複素環は、モルホリニル、ピペラジニル、ピペリジニル、及びピロリジニル基から選択され、ヘテロアリールはインドリルである；
・ Ｒｃ及びＲｄは同一または異なってもよく、水素原子、任意に置換された（Ｃ１−Ｃ６）アルキル基、アリール（Ｃ１−Ｃ４）アルキル基、任意に置換された（Ｃ１−Ｃ６）アルキル基を表し；Ｒｃ及びＲｄは特に、（Ｃ１−Ｃ４）アルキル基、またはｉ）ヒドロキシル基、ｉｉ）アミノ基、ｉｉｉ）（ジ）（Ｃ１−Ｃ３）アルキルアミノ基、またはｉｖ）第四級アンモニウム基（Ｒ”）（Ｒ”’）（Ｒ””）Ｎ＋−で置換された（Ｃ１−Ｃ４）アルキル基を表し、とりわけアルキル基はヒドロキシル基で置換される；
・ あるいは、同じ窒素原子によって有される二つの基Ｒｃ及びＲｄは、複素環またはヘテロアリール基を共に形成する；特に複素環は単環であり、５から７の員数を含み、特に同一または異なってもよい一つまたは二つのヒドロキシル及び／または（Ｃ１−Ｃ４）アルキル基で任意に置換される；とりわけ前記基は、ピペリジノ及びピロリジノから選択される；前記複素環基は、特に１または２のヒドロキシル置換基で置換される；
・ Ｔａはσ共有結合、または−Ｎ（Ｒ）−、−Ｃ（Ｏ）−Ｎ（Ｒ）−及びＮ（Ｒ）−Ｃ（Ｏ）−から選択される基を表す；特に−Ｃ（Ｏ）−Ｎ（Ｒ）−、−Ｎ（Ｒ）−Ｃ（Ｏ）−または共有結合である；
・ ｍ及びｎは同一でも異なってもよく、１から６の整数を表し、ｍ＋ｎの合計は２から６の間の整数を表し；好ましくはｍ＝１及び／またはｎ＝１、２または３である；
・ Ａｎ−がアニオン性対イオンを表す；及び
・ Ｙは上記定義したとおりである；
・ 式（Ｉａ）及び（ＩＩａ）の化合物が他のカチオン性部分を含む場合、それらは電気的中性を達成するために、式（Ｉａ）または（ＩＩａ）を可能にする一つ以上のアニオン性対イオンと会合していると解される。
【００５０】
例証として、下記の式（ＩＩ）に属する蛍光染料を挙げることができる：
【００５１】
【化９Ａ】
0005519136.tif 000010
【００５２】
【化９Ｂ】
0005519136.tif 000011
【００５３】
【化９Ｃ】
0005519136.tif 000012
【００５４】
【化９Ｄ】
0005519136.tif 000013
【００５５】
【化９Ｅ】
0005519136.tif 000014
【００５６】
【化９Ｆ】
0005519136.tif 000015
【００５７】
ここで、Ａｎ−は同一でも異なっていてもよく、アニオン性対イオンを表す。
【００５８】
式（ＩＩ’）の被保護チオール染料は、２つの段階で合成され得る。第１の段階は、当業者に既知の方法、例えば、「Thiols and organic sulfides」、「Thiocyanates and isothiocyanates,organic」、Ullmann’s Encyclopedia、Ｗｉｌｅｙ−ＶＣＨ、Ｗｅｉｎｈｅｉｍ、２００５年、に基づき、非保護のチオール染料（ＩＩ’）を調製することを本質とする。さらに、第２のステップは、式（ＩＩ’）の被保護チオール染料を生成するために当業者に既知の従来の方法に基づきチオール官能基を保護することを本質とする。例証として、チオール染料のチオール官能基−ＳＨを保護するために、著作「Protective Groups in Organic Synthesis」、Ｔ．Ｗ．Ｇｒｅｅｎｅ、Ｊｏｈｎ  Ｗｉｌｌｅｙ  ＆  Ｓｏｎｓ編、ＮＹ、１９８１年、１９３〜２１７頁；「Protecting Groups」、Ｐ．Ｋｏｃｉｅｎｓｋｉ、Ｔｈｉｅｍｅ、第３版、２００５年、第５章の方法を使用することができる。
【００５９】
この方法は、ｉ）（Ｉ’）などのジスルフィド官能基−Ｓ−Ｓ−を有する複素環式二−クロモフォア蛍光染料の還元により、式（ＩＩ”）のチオール染料を生成すること、およびｉｉ）式（ＩＩ’）の被保護チオール染料を得るために、従来の方法に基づき、反応物質７  Ｙ’Ｒにより、前記（Ｉ”）のチオール官能基を保護することを本質とする方法により例証され得る。チオール化合物（ＩＩ”）はまた、式（ＩＩＩ”’）のチオレート蛍光染料を生成するように、アルカリ金属またはアルカリ土類金属Ｍｅｔ＊によって金属化されてもよい。
【００６０】
【化１０】
0005519136.tif 000016
【化１１】
0005519136.tif 000017
【００６１】
ここで、Ｙ’は、チオール官能基−保護基を表し；Ｍｅｔ＊は、アルカリ金属またはアルカリ土類金属、特にナトリウムまたはカリウムを表し、金属がアルカリ土類金属であるとき、チオレート−Ｓ−官能基を含む２個のクロモフォア（ｃｈｒｏｍｏｐｈｏｒｅ）は、１個のＭｅｔａｌ２＋と会合することができ；ここで、Ｒ１、Ｒ２、Ｒ３、Ｒ４、Ｒｇ、Ｒ’ｇ、Ｒｈ、Ｒ’ｈ、Ｒｉ、Ｒ’ｉ、ｍ、ｎ、Ｇ及びＡｎ−は上記に定義の通りであり；Ｙ’は、チオール官能基−保護基を表し；Ｒは、ヌクレオフュージ（ｎｕｃｌｅｏｆｕｇｅ）離脱基、例えばメシレート、トシレート、トリフレートまたはハロゲン化物を表すことが理解される。
【００６２】
別の可能性によれば、上記に定義の保護基Ｙ’によって保護され、上記に記載の著作において記載される手順の１つに基づき調製された被保護チオール化合物（ｂ）であって、前記少なくとも１つの求核官能基を含む被保護チオール化合物は、十分な、好ましくは等モル量のヘミシアニンスチリルクロモフォア（ａ）と反応させてよい。言い換えると、（ａ）は、Σ結合基において共有結合を形成するために求電子官能基を含む：下記、式（ＩＩ’）の蛍光染料の調製を参照のこと：
【００６３】
【化１２】
0005519136.tif 000018
【００６４】
ここで、Ｒ１、Ｒ２、Ｒ３、Ｒ４、Ｒｇ、Ｒ’ｇ、Ｒｈ、Ｒ’ｈ、Ｒｉ、Ｒ’ｉ、ｍ、ｎ、Ｇ、Ｙ’及びＡｎ−は、上記に定義の通りであり；Ｎｕは、求核基を表し、Ｅは、求電子基を表し、Σは、求核剤または求電子剤による攻撃を受けた後に生成される結合基を表し、Σは式（Ｉ）及び（ＩＩ）に記載されたＴａの定義のサブセットである。
【００６５】
例証として、生成され得るΣ共有結合を、求核剤に対する求電子剤の縮合に基づき下記の表に列挙する：
求電子剤Ｅ                      求核剤Ｎｕ        Σ共有結合
活性化エステル＊                  アミン          カルボキサミド
アシル窒化物＊＊                  アミン          カルボキサミド
アシルハロゲン化物              アミン          カルボキサミド
アシルハロゲン化物              アルコール      エステル
アシルシアン化物                アルコール      エステル
アシルシアン化物                アミン          カルボキサミド
アルキルハロゲン化物            アミン          アルキルアミド
アルキルハロゲン化物            カルボン酸      エステル
アルキルハロゲン化物            チオール        チオエステル
アルキルハロゲン化物            アルコール      エーテル
スルホン酸およびこれらの塩      チオール        チオエーテル
スルホン酸およびこれらの塩      カルボン酸      エステル
スルホン酸およびこれらの塩      アルコール      エーテル
無水物                          アルコール      エステル
無水物                          アミン          カルボキサミド
アリールハロゲン化物            チオール        チオエーテル
アリールハロゲン化物            アミン          アリールアミン
アジリジン                      チオール        チオエーテル
カルボン酸                      アミン          カルボキサミド
カルボン酸                      アルコール      エステル
カルボジイミド                  カルボン酸      Ｎ−アシル尿素または無水物
ジアゾアルカン                  カルボン酸      エステル
エポキシド                      チオール        チオエーテル
ハロアセタミド                  チオール        チオエーテル
イミドエステル                  アミン          アミド
イソシアナート                  アミン          尿素
イソシアナート                  アルコール      ウレタン
イソチオシアナート              アミン          チオ尿素
マレイミド                      チオール        チオエーテル
スルホン酸エステル              アミン          アルキルアミン
スルホン酸エステル              チオール        チオエーテル
スルホン酸エステル              カルボン酸      エステル
スルホン酸エステル              アルコール      エーテル
スルホニルハロゲン化物          アミン          スルホナミド
＊式中、Ｐａｒｔがオキシサクシニミジル、オキシベンゾトリアゾイル、任意選択で置換されたアリールオキシなどの離脱基を表す一般式−ＣＯ−Ｐａｒｔの活性化エステル；
＊＊アシル窒化物は、転位してイソシアナートを生成することもある。
【００６６】
この方法の変形例は、そこにおいてΣ結合を生成することになる付加反応が行われる、求電子性のアクリレート官能基（−ＯＣＯ−Ｃ＝Ｃ−）を有するヘミシアニンスチリルクロモフォアを使用することである。
【００６７】
チオール反応物質（α）を使用することもまた可能である：上記に定義のＹ’基を含むＹ’−ＳＨ、その求核性のＳＨ官能基は、上記に定義の式（ＩＩ”）の被保護チオール染料を生成するように、蛍光クロモフォアが有するハロゲン原子に関してα−位にある炭素原子と反応することができる：
【００６８】
【化１３】
0005519136.tif 000019
【００６９】
ここで、Ｒ１、Ｒ２、Ｒ３、Ｒ４、Ｒｇ、Ｒ’ｇ、Ｒｈ、Ｒ’ｈ、Ｒｉ、Ｒ’ｉ、ｍ、ｎ、Ｇ、Ｙ’、（ＩＩ’）及びＡｎ−は、上記に定義の通りであり、Ｈａｌは、臭素、ヨウ素および塩素などのヌクレオフュージハロゲン原子を表す。
【００７０】
より特に、ヌクレオフュージ離脱基は、イソチオウロニウムを生成するようにチオ尿素（Ｓ＝Ｃ（ＮＲＲ）ＮＲＲ）の誘導体またはチオ尿素によって置換されてよい。例えば、チオ尿素誘導体がイミダゾリンチオン（β）である場合、反応スキームは以下の通りである：
【００７１】
【化１４】
0005519136.tif 000020
【００７２】
ここで、Ｒ’ｃ、Ｒ’ｄ、Ｒｇ、Ｒ’ｇ、Ｒｈ、Ｒ’ｈ、Ｒｉ、Ｒ’ｉ、ｍ、ｎ、Ｇ、Ｈａｌ及びＡｎ−は、上記に定義の通りである。
【００７３】
別の変形例は、環式であるイミダゾールタイプのチオ尿素誘導体（ｂ’）を使用すること、およびそれに続いての、式中、Ｌｇが塩化物、臭化物、トシレートまたはメシレートなどの離脱基であるＲ’ｄ−Ｌｇを使用する前記イミダゾールのアルキル化によって、化合物（ＩＩ””）を得ることを可能にする：
【００７４】
【化１５】
0005519136.tif 000021
【００７５】
ここで、Ｒ’ｃ、Ｒ’ｄ、Ｒｇ、Ｒ’ｇ、Ｒｈ、Ｒ’ｈ、Ｒｉ、Ｒ’ｉ、ｍ、ｎ、Ｇ、Ｈａｌ及びＡｎ−は、上記に定義の通りである。
【００７６】
変形例は、蛍光クロモフォア（ａ’）を含むハロゲン化物の代わりに、トシレートまたはメシレートなどの別のタイプのヌクレオフュージを含むクロモフォアを使用することである。
【００７７】
別の可能性に従って、被保護チオール化合物を、活性化された２つのカルボン酸官能基を有する化合物と、従来の方法（例えば、カルボジイミドまたはチオニルクロライドとの反応）に基づき反応させることにより、ある種の被保護チオール蛍光染料（ＩＩ’）を得ることができる。得られた生成物（ｄ）はその後、例えば第１級または第２級アミンタイプ、または脂肪族アルコールタイプの、求核官能基を有するヘミシアニンスチリルクロモフォア（ｃ）と反応する。
【００７８】
【化１６】
0005519136.tif 000022
【００７９】
ここで、Ｒ１、Ｒ２、Ｒ３、Ｒ４、Ｒｇ、Ｒ’ｇ、Ｒｈ、Ｒ’ｈ、Ｒｉ、Ｒ’ｉ、Ｇ、Ｔａ、Ｙ’、ｍ、ｎ、ＡＮ−、Ｅ、Ｎｕ及び（ＩＩ’）は、上記に定義の通りである。
【００８０】
別の変形例は、下記のスキームによって表されるようにチオラクトン誘導体を使用することである：
【００８１】
【化１７】
0005519136.tif 000023
【００８２】
ここで、Ｒ１、Ｒ２、Ｒｇ、Ｒ’ｇ、Ｒｈ、Ｒ’ｈ、Ｒｉ、Ｒ’ｉ、Ｇ、Ｔａ、Ｙ’、Ｍｅｔ★、ｎ、ｍ、及びＡｎ−は、上述の通りであり、Ｇ‘は酸素またはイオウ原子または式中、Ｒ’が水素原子またはアルキル基を表すＮＲ’基を表し、Ｒは、水素原子、Ｃ１〜Ｃ４アルキル基、Ｃ１〜Ｃ４ヒドロキシアルキル基またはアリール（Ｃ１〜Ｃ４）アルキルを表す。
チオラクトン誘導体は、好ましくはｎ＝３かつ、Ｇ’が酸素原子を表すという条件で選択される。
【００８３】
一つの合成変形例は、上述の経路を第一の経路と組み合わせること、即ち、二つの等量の求核試薬（ｃ）と二電子吸引性ジスルフィド試薬（ｉ）を使用することであり、縮合後、二発色性ジスルフィド生成物（Ｉ”）を生産可能であり、後者は複素環蛍光チオール染料を形成するように還元を受け、次いで（ＩＩ’）の非保護チオール蛍光染料を形成するように非保護され、または金属化複素環チオール蛍光染料（ＩＩ”’）を与えるようにアルカリ金属で金属化されてよい：
【００８４】
【化１８】
0005519136.tif 000024
【００８５】
別の可能性に従って、Ｙ’基により保護されたチオール基およびヌクレオフュージ離脱基、例えばメシレート、トシレート、トリフレートまたはハロゲン化物に事前に活性化されたヒドロキシル基を含む化合物（ｄ’）とスチリルピリジンクロモフォア（ｃ’）との反応により、式（ＩＩ”）の被保護チオール染料を得ることができる。
【００８６】
【化１９】
0005519136.tif 000025
【００８７】
ここで、Ｒ１、Ｒ２、Ｒ３、Ｒ４、Ｒｇ、Ｒ’ｇ、Ｒｈ、Ｒ’ｈ、Ｒｉ、Ｒ’ｉ、Ｇ、Ｔａ、Ｙ’、ｎ、ｍ、（ＩＩ’）及びＥは、上記に定義の通りである。
【００８８】
例証として、被保護チオール基を含む化合物は、ヌクレオフュージ離脱基Ｒ、例えばメシレート、トシレートまたはトリフレートを含み、これらは、下記のように、スチリル蛍光クロモフォアのアミンからの求核性の攻撃を受けることができる：
【００８９】
【化２０】
0005519136.tif 000026
【００９０】
別の代替法は、例えばスチリル蛍光クロモフォアによって有される第一級アミン官能基で置換できるチオール化合物上のヌクレオフュージ脱離基としてハロゲン化物の使用から由来する：
【００９１】
【化２１】
0005519136.tif 000027
【００９２】
別の可能性によれば、本発明に係る式（ＩＩ）のチオール蛍光染料は、上述のようなチオール基Ｙと電子吸引基（ｆ）を含む化合物と、求核性基を含むピリジニウム化合物との反応によって得ることができる。例として、Ｇ’が酸素原子または硫黄を表す場合、アルデヒドまたはチオアルデヒドは、アルキルピリジニウム（ｅ）のような「活性化メチレン」で縮合されてよく、エチレン結合＞Ｃ＝Ｃ＜を生成してよい。この反応は、”Knoevenagel”縮合として一般的に既知である。用語「活性化メチレン」は、ピリジニウム基に対して2または4位でメチレン基Ｒｉ−ＣＨ２−を好ましくは含むものを意味するように企図される：
【００９３】
【化２２】
0005519136.tif 000028
【００９４】
式中、Ｒ１、Ｒ２、Ｒ３、Ｒ４、Ｒａ、Ｒｂ、Ｒｇ、Ｒ’ｇ、Ｒｈ、Ｒ’ｈ、Ｒｉ、Ｒ’ｉ、Ｔａ、ｍ、ｎ、Ｙ及びＡｎ−は、上記に定義の通りであり、Ｇは酸素または硫黄原子を表す。
【００９５】
著作Advanced Organic Chemistry、「Reactions,Mechanisms and Structures」、Ｊ．Ｍａｒｃｈ、第４版、Ｊｏｈｎ  Ｗｉｌｌｅｙ  ＆  Ｓｏｎｓ、１９９２年、または上記に記載の方法で使用される操作条件のより詳細についてはＴ．Ｗ．Ｇｒｅｅｎｅ、「Protective Groups in Organic Synthesis」を参照することができる。
【００９６】
形成されたチオール蛍光染料は、従来の保護基を用いて−ＳＨチオールを保護することにより、−Ｓ  Ｙ’被保護チオール蛍光染料に変換することができる。チオール蛍光染料は、また、当業者に既知の従来の方法、例えば、Advanced Organic Chemistry、「Reactions,Mechanisms and Structures」、Ｊ．Ｍａｒｃｈ、第４版、Ｊｏｈｎ  Ｗｉｌｌｅｙ  ＆  Ｓｏｎｓ、ＮＹ、１９９２年に記載のものなどを使用して金属化される。
【００９７】
被保護チオール染料は、従来の経路、例えば、著作「Protective Groups in Organic Synthesis」、Ｔ．Ｗ．Ｇｒｅｅｎｅ、Ｊｏｈｎ  Ｗｉｌｅｙ  ＆  Ｓｏｎｓ編、ＮＹ、１９８１年；「Protecting Groups」、Ｐ．Ｋｏｃｉｅｎｓｋｉ、Ｔｈｉｅｍｅ、第３版、２００５年に記載のものなど、により脱保護されてよい。
【００９８】
出発反応物質は、市販されているかまたは当業者に既知の従来の方法により入手することができる。例として、二当量のピリジン誘導体１と一当量の二つの脱離基Ｌｇを含むジスルフィド反応物を使用して反応物（Ｉ‘）を合成することが可能であり、ジピリジニウムジスルフィド塩３を得て、それを次いでアルデヒド／チオアルデヒド基を含む二当量のアリール化合物４と縮合させて、５を得ることができる
【００９９】
【化２３】
0005519136.tif 000029
【０１００】
式中、Ｌｇはヌクレオフュージ脱離基、例えばメシレート、トシレート、トリフレート、またはハライドを表す。上記化合物（Ｉ’）の対イオンＬｇ−は、当業者に既知の方法を使用して、特にイオン交換樹脂によって、他の性質の対イオンＡｎ−と置換できる。
【０１０１】
式（Ｉ）の非対称ジスルフィド染料は、保護されていないチオール蛍光染料と、Ｙ‘で保護されたチオール蛍光染料とを反応することによって一段階で合成でき、式（Ｉ）のジスルフィド染料を形成できる。
【０１０２】
【化２４】
0005519136.tif 000030
【０１０３】
式中、Ｒｇ、Ｒ’ｇ、Ｒ”ｇ、Ｒ”’ｇ、Ｒｈ、Ｒ’ｈ、Ｒ”ｈ、Ｒ”’ｈ、Ｒｉ、Ｒ’ｉ、Ｒ”ｉ、Ｒ”’ｉ、ｍ、ｍ’、ｎ、ｎ’、Ｔａ、Ｔｂ、Ｇ、Ｇ’、Ｈｅｔ及びＡｎ−は、上記に定義の通りであり、Ｙ’はチオール官能基保護基を表す。
【０１０４】
式（Ｉ’）の対称蛍光ジスルフィド染料は、ヘミシアニンチオール染料（ＩＩ）の酸化により合成することができる。
【０１０５】
酸化は、任意選択でアルカリ性薬剤と会合した酸化剤によって行うことができる。当分野において一般的であるいかなる酸化剤をも使用することができる。したがって、酸化剤は、過酸化水素、過酸化尿素、アルカリ金属臭化物、過ホウ酸塩、過硫酸塩などの過酸塩、ならびに酵素、中でもペルオキシダーゼ、ウリカーゼなどの２−電子オキシドレダクターゼ、およびラッカーゼなどの４−電子オキシゲナーゼを挙げることができる、から選択されてよい。過酸化水素の使用は、特に好ましい。
【０１０６】
【化２５】
0005519136.tif 000031
【０１０７】
式中、Ｒｇ、Ｒ’ｇ、Ｒ”ｇ、Ｒ”’ｇ、Ｒｈ、Ｒ’ｈ、Ｒ”ｈ、Ｒ”’ｈ、Ｒｉ、Ｒ’ｉ、Ｒ”ｉ、Ｒ”’ｉ、ｍ、ｍ’、ｎ、ｎ’、Ｔａ、Ｔｂ、Ｇ、Ｇ’、Ｈｅｔ及びＡｎ−は、上記に定義の通りであり、Ｙ’は水素原子またはアルカリ金属を表し、この基が酸化剤またはアルカリ剤（例えばアシル基のような）で脱保護できる場合、任意にチオール保護基を表す。
【０１０８】
別の可能性に従って、ジスルフィド化合物（ｂ１）、２個の求核性官能基を含む前記ジスルフィド化合物は、十分な量、好ましくは２当量のヘミシアニンスチリルクロモフォア（ａ１）と反応させてよく、Σ共有結合基を形成するために求電子官能基を含む；式（Ｉ’）の染料の調製について以下参照：
【０１０９】
【化２６】
0005519136.tif 000032
【０１１０】
式中、Ｒｇ、Ｒ’ｇ、Ｒｈ、Ｒ’ｈ、Ｒｉ、Ｒ’ｉ、ｍ、ｎ、Ｇ、Ａｎ――、Σ、Ｅ及びＮｕは上記に定義の通りであり、Σは式（Ｉ）及び（ＩＩ）に規定されたＴａのサブセットを表すと常に解される。
【０１１１】
この方法の１つの変形例は、そこにおいてΣ結合基に共有結合を生成することになる付加反応が行われる、求電子性のアクリレート官能基（−ＯＣＯ−Ｃ＝Ｃ−）を有するヘミシアニンスチリルクロモフォアを使用することである。
【０１１２】
別の可能性によれば、式（Ｉ’）のジスルフィド染料は、ジスルフィド基と二つのヌクレオフュージ脱離基Ｌｇ、例えばメシレート、トシレート、トリフレート、またはハライドを含む化合物（ｂ２）と、基Ｘ−Ｚ’を有するヘミシアニンスチリルクロモフォア（ａ２）との反応によって得ることができる。
【０１１３】
【化２７】
0005519136.tif 000033
【０１１４】
式中、Ｒｇ、Ｒ’ｇ、Ｒｈ、Ｒ’ｈ、Ｒｉ、Ｒ’ｉ、ｍ、ｎ、Ｇ、Ａｎ――、Σ、及びＥは上記に定義の通りであり、ｚ‘は水素原子またはアルカリ金属を表し、Ｘ−ｚ’は基Ｌｇを置換できる求核性基、例えばアミノまたはヒドロキシル官能基を有する炭化水素ベースの鎖を表し、Σは式（Ｉ）及び（ＩＩ）に規定されたＴａのサブセットを表すと常に解される。
【０１１５】
出発反応物質は、当業者に既知の従来の方法により入手することができる。
【０１１６】
上記に記載の方法で使用される操作条件のより詳細については、著作Advanced Organic Chemistry、「Reactions,Mechanisms and Structures」、Ｊ．Ｍａｒｃｈ、第４版、Ｊｏｈｎ  Ｗｉｌｌｅｙ  ＆  Ｓｏｎｓ、１９９２年またはT.W. Greene “Protective Groups in Organic Synthesis”を参照することができる。
【０１１７】
形成されたチオール蛍光染料は、従来の保護基を用いて−ＳＨチオールを保護することにより、−Ｓ  Ｙ’被保護チオール蛍光染料に変換することができる。チオール蛍光染料は、また、当業者に既知の従来の方法、例えば、Advanced Organic Chemistry、「Reactions,Mechanisms and Structures」、Ｊ．Ｍａｒｃｈ、第４版、Ｊｏｈｎ  Ｗｉｌｌｅｙ  ＆  Ｓｏｎｓ、ＮＹ、１９９２年に記載のものなどを使用して金属化される。
【０１１８】
被保護チオール染料は、従来の経路、例えば、著作「Protective Groups in Organic Synthesis」、Ｔ．Ｗ．Ｇｒｅｅｎｅ、Ｊｏｈｎ  Ｗｉｌｅｙ  ＆  Ｓｏｎｓ編、ＮＹ、１９８１年；「Protecting Groups」、Ｐ．Ｋｏｃｉｅｎｓｋｉ、Ｔｈｉｅｍｅ、第３版、２００５年に記載のものなど、により脱保護されてよい。
【０１１９】
本発明の別の主題は、式（Ｉ）の少なくとも１つのジスルフィド蛍光染料、または式（ＩＩ）のチオール蛍光染料を含む、ケラチン物質の染色のための染料量組成物に関する。少なくとも１つの式（Ｉ）または（ＩＩ）の蛍光染料の存在に加えて、本発明の組成物はまた、還元剤をも含んでよい。
【０１２０】
この還元剤は、チオール、例えばシステイン、ホモシステインまたはチオ乳酸、これらチオールの塩、ホスフィン、亜硫酸水素塩、亜硫酸塩、チオグリコール酸、ならびにそのエステル、特にグリセリルモノチオグリコレート、およびチオグリセロールから選択されてよい。この還元剤はまた、ボロハイドライドおよびこれらの誘導体、例えばボロハイドライドの塩、シアノボロハイドライドの塩、トリアセトキシボロハイドライドの塩またはトリメトキシボロハイドライドの塩：ナトリウム塩、リチウム塩、カリウム塩、カルシウム塩、第４級アンモニウム（テトラメチルアンモニウム、テトラエチルアンモニウム、テトラ−ｎ−ブチルアンモニウムまたはベンジルトリエチルアンモニウム）塩；ならびにカテコールボランから選択されてもよい。
【０１２１】
本発明において使用されてよい染料組成物は、一般に、組成物の全重量に対して、０．００１％と５０％との間の、式（Ｉ）または（ＩＩ）の染料の量を含む。好ましくは、この量は、組成物の全重量に対して、０．００５重量％と２０重量％との間、さらにより好ましくは０．０１重量％と５重量％との間である。
【０１２２】
染料組成物はまた、追加の直接染料を含んでもよい。これらの直接染料は、例えば、中性、酸性またはカチオン性ニトロベンゼン直接染料、中性、酸性またはカチオン性アゾ直接染料、テトラアザペンタメチン染料、中性、酸性またはカチオン性キノン、特にアントラキノン染料、アジン直接染料、トリアリールメタン直接染料、インドアミン直接染料および天然直接染料から選択される。
【０１２３】
天然直接染料の中で、ローソン、ジュグロン、アリザリン、パープリン、カルミン酸、ケルメス酸、パープロガリン、プロトカテクアルデヒド、インジゴ、イサチン、クルクミン、スピヌロシンおよびアピゲニジンを挙げることができる。これらの天然染料を含む抽出物または煎出物、特にパップ（ｐｏｕｌｔｉｃｅ）またはヘナをベースとする抽出物をもまた使用してよい。
【０１２４】
染料組成物は、１つまたは複数の酸化塩基および／またはケラチン線維を染色するために従来使用されている１つまたは複数のカップラー（ｃｏｕｐｌｅｒ）を含んでよい。
【０１２５】
酸化塩基の中で、パラ−フェニレンジアミン、ビスフェニルアルキレンジアミン、パラ−アミノフェノール、ビス−パラ−アミノフェノール、オルト−アミノフェノール、複素環式塩基類およびこれらの付加塩を挙げることができる。
【０１２６】
これらのカップラーの中で、メタ−フェニレンジアミン、メタ−アミノフェノール、メタ−ジフェノール、ナフタレンカップラー、複素環式カップラーおよびこれらの付加塩を、特に挙げることができる。
【０１２７】
カップラーは、それぞれ一般に、染料組成物の全重量の０．００１重量％と１０重量％との間、好ましくは０．００５重量％と６重量％との間の量で存在する。
【０１２８】
染料組成物中に存在する酸化塩基は、一般に、染料組成物の全重量の０．００１重量％と１０重量％との間、好ましくは０．００５重量％と６重量％との間の量で、それぞれ存在する。
【０１２９】
一般に、本発明の文脈において使用することができる酸化塩基およびカップラーの付加塩は、特に、酸との付加塩、例えば塩酸塩、臭化水素酸塩、硫酸塩、クエン酸塩、コハク酸塩、酒石酸塩、乳酸塩、トシレート、ベンゼンスルホン酸塩、リン酸塩および酢酸塩など、ならびに塩基との付加塩、ナトリウムまたはカリウムなどのアルカリ金属の水酸化物、アンモニア水、アミンまたはアルカノールアミンなど、から選択される。
【０１３０】
染料担体とも呼ばれる、染色に適した媒体は、一般に、水、または水および少なくとも１つの有機溶媒の混合物を含む化粧用媒体である。有機溶媒として、例えば、エタノールおよびイソプロパノールなどのＣ１〜Ｃ４低級アルカノール；ポリオールおよびポリオールエーテル、例えば２−ブトキシエタノール、プロピレングリコール、プロピレングリコールモノメチルエーテル、ジエチレングリコールモノエチルエーテルおよびジエチレングリコールモノメチルエーテル、ならびにベンジルアルコールまたはフェノキシエタノールなどの芳香族アルコール、ならびにこれらの混合物を挙げることができる。
【０１３１】
溶媒は、存在する場合には、好ましくは染料組成物の全重量に対して、約１重量％と９９重量％との間、さらにより好ましくは約５重量％と９５重量％との間の割合で、好ましくは存在する。
【０１３２】
一つの変形例に拠れば、本発明の組成物は、ケラチンのジスルフィド結合及び／または式（Ｉ）の蛍光染料のジスルフィド結合を還元できる還元剤を含む。この間現在は上述の通りである。
【０１３３】
染料組成物はまた、毛髪染色組成物において従来使用されている種々のアジュバント、例えば、アニオン性、カチオン性、非イオン性、両性または双性イオン型界面活性剤またはこれらの混合物、アニオン性、カチオン性、非イオン性、両性または双性イオン型ポリマー、またはこれらの混合物、無機または有機増粘剤、特にアニオン性、カチオン性、非イオン性および両性の会合性ポリマー増粘剤、抗酸化剤、浸透剤、金属イオン封鎖剤、香料、緩衝剤、分散剤、コンディショニング剤、例えば、アミノシリコーンなどの修飾または非修飾の揮発性または不揮発性シリコーンなど、皮膜形成剤、セラミド、防腐剤、乳白剤または導電性ポリマーなどをも含んでよい。
【０１３４】
上記アジュバントは、そのそれぞれについて、組成物の重量に対して、０．０１重量％と２０重量％との間の量で一般に、存在する。
【０１３５】
当然のことながら、当業者であれば、本発明による染料組成物に本来付随する有利な特性が、意図される添加によりまったく、またはほとんど、損なわれることがないように、これらの可能な追加的化合物を、注意深く選択するであろう。
【０１３６】
染料組成物のｐＨは、一般に、約３と１４との間、好ましくは、約５と１１との間である。ｐＨは、ケラチン線維の染色において一般に使用される酸性化剤または塩基性化剤により、または従来の緩衝系により、所望の値に調節してよい。
【０１３７】
酸性化剤の中で、例証として、塩酸、オルトリン酸、硫酸、カルボン酸、例えば酢酸、酒石酸、クエン酸または乳酸、あるいはスルホン酸などの無機または有機酸を挙げることができる。
【０１３８】
塩基性化剤の中で、例証として、アンモニア水、アルカリ炭酸塩、モノ−、ジ−およびトリエタノールアミンなどのアルカノールアミン、ならびにこれらの誘導体、水酸化ナトリウムまたは水酸化カリウムおよび下記の式（γ）の化合物：
【０１３９】
【化２８】
0005519136.tif 000034
【０１４０】
式中、Ｗａは、ヒドロキシル基またはＣ１〜Ｃ４アルキル基により任意選択で置換されたプロピレン残基であり；Ｒａ１、Ｒａ２、Ｒａ３およびＲａ４、は、同一でも異なっていてもよく、水素原子、Ｃ１〜Ｃ４アルキル基またはＣ１〜Ｃ４ヒドロキシアルキル基を表す
を挙げることができる。
【０１４１】
染料組成物は、液体、クリームまたはゲルの形態、あるいはケラチン線維、特に毛髪を染色するのに適したあらゆる他の形態など、種々の形態であってよい。
【０１４２】
本発明の別の主題は、ケラチン物質に式（Ｉ）および（ＩＩ）の少なくとも１つの染料を含む組成物を適用することを含む、ケラチン物質を染色する方法である。特定の一実施形態によれば、本発明の方法において、式（Ｉ）または（ＩＩ）の少なくとも１つの蛍光染料を含む組成物を適用する前に、前処理として還元剤もまた適用されてよい。
【０１４３】
この還元剤は、チオール、例えばシステイン、ホモシステインまたはチオ乳酸、これらチオールの塩、ホスフィン、亜硫酸水素塩、亜硫酸塩、チオグリコール酸、ならびにそのエステル、特にグリセリルモノチオグリコレート、およびチオグリセロールから選択されてよい。この還元剤はまた、ボロハイドライドおよびこれらの誘導体、例えばボロハイドライドの塩、シアノボロハイドライドの塩、トリアセトキシボロハイドライドの塩またはトリメトキシボロハイドライドの塩：ナトリウム塩、リチウム塩、カリウム塩、カルシウム塩、第４級アンモニウム（テトラメチルアンモニウム、テトラエチルアンモニウム、テトラ−ｎ−ブチルアンモニウムまたはベンジルトリエチルアンモニウム）塩；ならびにカテコールボランから選択されてもよい。
【０１４４】
この前処理は、短時間であってよく、前述の還元剤を用いて、特に１秒から３０分、好ましくは１分から１５分のものであってよい。
【０１４５】
別の方法によれば、式（Ｉ）または（ＩＩ）の少なくとも１つの蛍光染料を含む組成物はまた、上記に定義の少なくとも１つの還元剤をも含む。この組成物は、次いで毛髪に適用される。
【０１４６】
式（ＩＩ）のチオール蛍光染料がチオール−官能基−保護基Ｙを含むとき、本発明の方法は、ＳＨ官能基を元の位置に戻すことを目的とする脱保護ステップによって進行されてよい。
【０１４７】
例証として、ｐＨを下記のように調節することにより、Ｓ−Ｙ官能基をＹ保護基によって脱保護することが可能である：
【０１４８】
【表１】
0005519136.tif 000035
【０１４９】
脱保護ステップはまた、毛髪の前処理ステップ、例えば毛髪の還元前処理、の間に行われてもよい。
【０１５０】
一変形例によれば、還元剤は、使用時に、式（Ｉ）または（ＩＩ）の少なくとも１つの蛍光染料を含む染料組成物に添加される。
【０１５１】
別の方法によれば、式（Ｉ）または（ＩＩ）の少なくとも１つの蛍光染料を含む組成物はまた、上記に定義の少なくとも１つの還元剤をも含む。この組成物は、次いで毛髪に適用される。
【０１５２】
別の一変形例によれば、還元剤は、後処理として、式（Ｉ）または（ＩＩ）の少なくとも１つの蛍光染料を含む組成物の適用後に適用される。還元剤による後処理の継続時間は、短くてよく、例えば、上記に記載の還元剤を用いて、１秒から３０分、好ましくは１分から１５分であってよい。特定の一実施形態によれば、還元剤は、上記に記載のチオールまたはボロハイドライドタイプの薬剤である。
【０１５３】
本発明の特定の一実施形態は、式（Ｉ）または（ＩＩ）の蛍光染料が、還元剤なしで、還元前処理または還元後処理を行わずに、毛髪に直接適用される方法に関する。
【０１５４】
酸化剤による処理は、任意選択で組み合わせられてよい。好ましくは、本発明に基づく染色方法は、酸化剤をケラチン線維に適用することを本質とする追加的ステップを含む。当分野において一般的であるいかなるタイプの酸化剤も使用されてよい。したがって、酸化剤は、過酸化水素、過酸化尿素、アルカリ金属臭化物、過ホウ酸塩および過硫酸塩などの過酸塩、ならびに酵素、中でもペルオキシダーゼ、ウリカーゼなどの２−電子オキシドレダクターゼ、およびラッカーゼなどの４−電子オキシゲナーゼを挙げることができる、から選択されてよい。過酸化水素の使用は、特に好ましい。
【０１５５】
この酸化剤は、式（Ｉ）または（ＩＩ）の少なくとも一つの蛍光染料を含む組成物の適用の前後で線維に適用できる。
【０１５６】
本発明の特定の実施態様は、組成物が酸化剤を含むものに関する。
【０１５７】
本発明の染料組成物の適用は、一般に、周囲温度において行われる。しかし、２０℃から１８０℃の範囲の温度で行われてもよい。
【０１５８】
本発明の主題はまた、第１のコンパートメントが、式（Ｉ）または（ＩＩ）の少なくとも１つの蛍光染料を含む染料組成物を含み、第２のコンパートメントが、ケラチン物質および／または式（Ｉ）のジスルフィド蛍光染料のジスルフィド官能基を還元することができる還元剤を含む、マルチコンパートメント染色デバイスまたは染色「キット」でもある。
【０１５９】
これらのコンパートメントの１つはまた、１つまたは複数の直接染料または酸化染料タイプの他の染料をも含んでよい。
【０１６０】
本発明はまた、第１のコンパートメントが、式（Ｉ）または（ＩＩ）の少なくとも１つの蛍光染料を含む染料組成物を含み；第２のコンパートメントが、ケラチン物質および／または式（Ｉ）のジスルフィド蛍光染料のジスルフィド結合を還元することができる還元剤を含み；第３のコンパートメントが酸化剤を含む、マルチコンパートメントデバイスに関する。
【０１６１】
別法として、染色デバイスは、式（ＩＩ）の少なくとも１つの被保護チオール蛍光染料を含む染料組成物を含む第１のコンパートメント、被保護チオールをフリーのチオールにするために脱保護することができる薬剤を含む第２のコンパートメント、および任意選択で、酸化剤を含む第３のコンパートメントを含む。
【０１６２】
上記に記載の各デバイスは、所望の混合物を毛髪に供給するための手段、例えば仏国特許ＦＲ２５８６９１３に記載のデバイスなどを備えていてもよい。
【発明を実施するための最良の形態】
【０１６３】
これに続いての実施例は、本発明を、事実上制限することなく、しかし特許請求されている本発明の範囲の限界内で例証するのに役立つ。下記の実施例のチオール蛍光染料は、従来の分光法および分光光度法により完全に特徴付けられている。
【実施例】
【０１６４】
合成の実施例
（実施例１）
2,2’-(ジスルファンジイルジエタン-2,1-ジイル)ビス{5-[4-(ジメチルアミノ)ベンジリデン]-5,6,7,8-テトラヒドロイソキノリニウム}ジメタンスルホネート[1]の合成
【０１６５】
【化２９】
0005519136.tif 000036
【０１６６】
合成スキーム：
【０１６７】
【化３０】
0005519136.tif 000037
【０１６８】
段階１：2,2’-(ジスルファンジイルジエタン-2,1-ジイル)ビス(5,6,7,8-テトラヒドロイソキノリニウム)ジメタンスルホネートの合成
3.2gの5,6,7,8-テトラヒドロイソキノリンと0.7gの炭酸カリウムを、3mlのアセトニトリルで混合し、80℃に供する。3mlのアセトニトリル中の3.4gのジスルファンジイルジエタン-2,1-ジイルジメタンスルホネートの溶液を、10分間で添加する。80℃で8時間攪拌を維持し、次いで反応媒体を環境温度に戻し、濾過し、真空下で濃縮する。6mlのジクロロメタンを添加し、溶液を500mlのエチルエーテルに滴下する。放置することによって分離したオイルを、二度6mlのメタノールで希釈し、500mlのエチルエーテルに添加し、最後に6mlのジクロロメタンで希釈し、500mlのエチルエーテルに添加することによって再加工する。真空下での乾燥の後、5.2gの褐色の固体を回収する。分析により、生成物は期待される構造と一致することが分かる。
【０１６９】
段階２：2,2’-(ジスルファンジイルジエタン-2,1-ジイル)ビス{5-[4-(ジメチルアミノ)ベンジリデン]-5,6,7,8-テトラヒドロイソキノリニウム}ジメタンスルホネート[1]の合成
2.1gの2,2’-(ジスルファンジイルジエタン-2,1-ジイル)ビス(5,6,7,8-テトラヒドロイソキノリニウム)ジメタンスルホネートと、1.1gのジメチルアミノベンズアルデヒドを6mlのメタノールで混合する。130μlのピペリジンを添加し、混合物を21℃で8時間攪拌する。65μlのピペリジンを添加し、攪拌を48時間維持する。130μlのピペリジンを再び添加し、混合物を24時間攪拌し続ける。得られた混合物を、激しく攪拌しながら500mlのメチル-tert-ブチルエーテルに滴下する。粘性のオイルを放置して分離する。それを上清ら分離し、20mlのジクロロメタンに希釈し、500mlのメチル-tert-ブチルエーテルに滴下する。橙色-赤色の形成された沈降物を濾過し、500mlのメチル-tert-ブチルエーテルですすぎ、20mlのジクロロメタンに採取し、500mlのメチル-tert-ブチルエーテルに再び注ぎ、濾過し、すすいで乾かす。2.2gの赤色の固体が得られる。分析により、生成物は期待される構造と一致することが分かる。
（実施例２）
2,2’-(ジスルファンジイルジブタン-4,1-ジイル)ビス{5-[(4-メチル-3,4-ジヒドロ-2H-1,4-ベンズオキサジン-7-イル)メチレン]-5,6,7,8-テトラヒドロイソキノリニウム}ジメタンスルホネート[2]の合成
【０１７０】
【化３１】
0005519136.tif 000038
【０１７１】
合成スキーム：
【０１７２】
【化３２】
0005519136.tif 000039
【０１７３】
段階１：2,2’-(ジスルファンジイルジブタン-4,1-ジイル)ビス(5,6,7,8-テトラヒドロイソキノリニウム)ジメタンスルホネートの合成
2.1gの5,6,7,8-テトラヒドロイソキノリンと0.5gの炭酸カリウムを、2mlのアセトニトリルで混合し、100℃に供する。2mlのアセトニトリル中の2.7gのジスルファンジイルジブタン-4,1-ジイルジメタンスルホネートの溶液を、5分間で添加する。100℃で3時間攪拌を維持し、次いで反応媒体を環境温度に戻し、真空下で濃縮する。10mlのジクロロメタンを添加し、溶液を濾過し、次いで100mlのエチルエーテルに滴下する。放置することによって分離したオイルを、10mlのジクロロメタンで希釈し、500mlのエチルエーテルに添加する。真空下での乾燥の後、3.3gの褐色のオイルを回収する。分析により、生成物は期待される構造と一致することが分かる。
【０１７４】
段階２：2,2’-(ジスルファンジイルジブタン-4,1-ジイル)ビス{5-[(4-メチル-3,4-ジヒドロ-2H-1,4-ベンズオキサジン-7-イル)メチレン]-5,6,7,8-テトラヒドロイソキノリニウム}ジメタンスルホネート[2]の合成
2.8gの2,2’-(ジスルファンジイルジブタン-4,1-ジイル)ビス(5,6,7,8-テトラヒドロイソキノリニウム)ジメタンスルホネートと、2gの4-メチル-3,4-ジヒドロ-2H-1,4-ベンズオキサジン-7-カルブアルデヒドを28mlのイソプロパノールで混合する。0.7gのピペリジンを添加し、混合物を80℃で10時間攪拌する。混合物を冷却し、真空下で濃縮し、20mlのジクロロメタンに採取し、200mlのエチルエーテルに滴下する。固体とオイルが形成する。それらを分離し（固体を有する上清の濾過）、オイルを20mlのジクロロメタンに採取し、混合物を200mlのエチルエーテルに注ぐ。新たな固体分画が回収される。得られた固体分画をそれぞれ20mlのジクロロメタンに採取し、強力な真空下で濃縮する。1.7gの先職の固体が回収される。分析により、生成物は期待される構造と一致することが分かる。
（実施例３）
2,2’-(ジスルファンジイルジエタン-2,1-ジイル)ビス[5-({4-[ビス(2-ヒドロキシエチル)アミノ]フェニル}メチリデン)-5,6,7,8-テトラヒドロイソキノリニウム]ビスメシレート[3]の合成
【０１７５】
【化３３】
0005519136.tif 000040
【０１７６】
合成スキーム：
【０１７７】
【化３４】
0005519136.tif 000041
【０１７８】
段階１：2,2’-(ジスルファンジイルジエタン-2,1-ジイル)ジ-5,6,7,8-テトラヒドロイソキノリニウムビスメシレートの合成
50.12gのジスルファンジイルジエタン-2,1-ジイルジメタンスルホネートを90mlのN-メチルピロリジノン(NMP)に溶解する。混合物を90℃に加熱し、46.49gのテトライソキノリンを添加し、引き続き50mlの更なるNMP及び10mlのアセトニトリルを添加する。90℃で4時間後、反応混合物を1.7lのエチルアセテート(AcOEt)に注ぎ、-10℃で冷蔵する。上清溶液を捨て、100mlのiPrOHと300mlのジエチルエーテルで洗浄し、次いでテトラヒドロイソキノリンがTLCにより検出されなくなるまでエチルアセテートで数回洗浄する。乾燥後、77.5gのオイルが回収される。分析により、生成物は期待される構造と一致することが分かり、生成物を以下の工程でそのまま使用する。
【０１７９】
段階２：2,2’-(ジスルファンジイルジエタン-2,1-ジイル)ビス[5-({4-[ビス(2-ヒドロキシエチル)アミノ]フェニル}メチリデン)-5,6,7,8-テトラヒドロイソキノリニウム]ビスメシレート[3]の合成
200mlのメタノール中の45.6gの4-[ビス(2-ヒドロキシエチル)アミノ]-ベンズアルデヒドと50gの2,2’-(ジスルファンジイルジエタン-2,1-ジイル)ジ-5,6,7,8-テトラヒドロイソキノリニウムビスメシレートの懸濁液に、5.12mlのピペリジンを添加する。室温で28日間の混合の後、反応混合物を1lのエチルアセテートに注ぐ。粘性の暗色オイルをアセトンで数回洗浄して乾かす。分析により、生成物は期待される構造[3]と一致することが分かる。
LC/MS勾配ACONH4  20ｍM->CH3CN  10分  ESI+/-  m/z=385；λmax＝468nm
NMR  1H  (ppm)：1.91(mH,,4H)、2.69(s,6.7H-メシレート)、2.92(t,4H)、2.98(t,4H)、3.36(t,4H)、3.63(t,8H)、3.76(t,8H)、4.74(t,4H)、6.84(d,4H)、7.51(d,4H)、7.65(s,2H)、8.25(d,2H)、8.44(d,2H)、8.51(d,2H)
【０１８０】
染色の実施例
（実施例１）
染色方法  −  化合物［１］及び［２］
【０１８１】
組成物Ａの調製
【表２】
0005519136.tif 000042
【０１８２】
組成物Ｂの調製
【表３】
0005519136.tif 000043
【０１８３】
使用時に、組成物Ａ（９ｍｌ）およびＢ（１ｍｌ）を混合し、次いで、得られた製剤を90％の白髪（ＮＷ）を含む天然の白髪、パーマネントウェーブ処理白髪（ＰＷ）、またはトーンハイト４（ＴＨ４）を有する栗色−茶色の毛髪の束に適用する。リーブイン時間は環境温度ＡＴで２０分である。
【０１８４】
流水ですすいだ後、１０倍の水で希釈した固定剤(Dulcia Vital II(登録商標))をＡＴで５分適用する。流水ですすぎ、シャンプー洗浄し、束を風乾し、このような処理を受けた暗色の毛髪の明色化を観察する：トーンハイト４の毛束は、非処理のコントロール毛束よりも視覚的に明るくなっていた。白色毛髪の束は、強いシェイドで着色されている。
【０１８５】
視覚的観察：
化合物［１］及び［２］で得られた明色のすすぎおよびシャンプー洗浄の間に、眼に見える色のにじみは存在しない；シャンプーの泡およびすすぎの水は、事実上、着色されていない。
【０１８６】
観察された色は染色されたＮＷ及びＰＷで維持され、明色化効果はシャンプー洗浄したＴＨ４毛髪において可視的な状態で残存している。
【０１８７】
明色化の評価のための反射率の結果：
本発明による組成物の明色化効果は、毛髪の反射率の関数として示された。これらの反射率を、トーンハイトＴＨ４の非処理の毛束の反射率と比較する。
【０１８８】
反射率は、ＫＯＮＩＫＡ−ＭＩＮＯＬＴＡ（登録商標）、ＣＭ  ３６００ｄ分光測色計装置を用いて、毛髪に波長範囲４００から７００ナノメートルの可視光を照射した後に、測定する。
【０１８９】
【表４】
0005519136.tif 000044
【０１９０】
第１に、本発明の組成物で処理した毛束の反射率は、非処理の毛束の反射率と比べて大きいことが分かる。最も特に、５６０ｎｍより大きな波長範囲において、染料［１］及び［２］で処理した毛束の反射率は、対照毛束の反射率よりも非常に大きい。これら２つの化合物で処理した毛束は、明色化されたと考えられる。
【０１９１】
ＴＨ４、ＮＷ、ＰＷの色の評価のためのＬ＊ａ＊ｂ＊系における結果
毛束の色を、ＭＩＮＯＬＴＡ（登録商標）ＣＭ  ３６００Ｄ分光測色計（イルミナントＤ６５）を用いて、Ｌ＊ａ＊ｂ＊系で評価した。
【０１９２】
このＬ＊ａ＊ｂ＊系において、Ｌ＊は、明度を表し、ａ＊は、緑／赤色軸、ｂ＊は、青／黄色軸を表す。Ｌの値が大きくなるほど、色は明るく、あるいは弱くなる。反対に、Ｌの値が小さくなるほど、色は暗く、あるいは大幅に強くなる。ａ＊の値が大きくなるほど、シェイドは、赤味が強くなり、ｂ＊の値が大きくなるほど、シェイドは、より黄色味が強くなる。
【０１９３】
ＴＨ４の染色された毛束と洗浄された毛束との間の着色の変化は、下記の等式に従い（ΔＥ）により測定される：
【０１９４】
【数１】
0005519136.tif 000045
【０１９５】
この等式において、Ｌ＊、ａ＊およびｂ＊は、染色前に測定した値を示し、Ｌ０＊、ａ０＊およびｂ０＊は、染色（またはシャンプー洗浄）前に測定した値を示す。
【０１９６】
ΔＥの値が大きくなるほど、ＴＨ４の毛束と着色された毛束との間の色の差は大きくなる。
【０１９７】
ＴＨ４暗色毛髪について
【表５】
0005519136.tif 000046
【０１９８】
上記の表に報告されている値は、化合物１及び２を使用することにより、暗色の毛髪（ＴＨ４）において得られた明色化を有する着色効果を示す。
【０１９９】
ＮＷ及びＰＷ毛髪について
天然の白髪及びパーマネントウェーブ処理した白髪を明橙色に着色する
Ｌ＊（Ｄ６５）   ａ＊（Ｄ６５）   ｂ＊（Ｄ６５）
天然の白色                      ６０．５        １．５          １６．１
化合物１                        ３９．１        ３７．９        ３３．３
化合物２                        ３５．５        ３６．９        ２９．７
パーマネントウェーブ            
白髪                            ６０．９        １．８          １７．０
化合物１                        ３８．９        ３９．８        ３３．５
化合物２                        ３６．０        ３８．５        ３０．５
【０２００】
連続したシャンプー操作に関する固着性
処理された毛束を二つに分け、その半分を、水で束を濡らす工程、従来のシャンプーで洗浄する工程、水ですすぐ工程、その後乾かす工程を含むサイクルに従って、５回の連続したシャンプー操作に供した。
【０２０１】
視覚的観察
シャンプー操作の間で、着色の視覚的な漂白は存在しない；シャンプーの泡とすすぎ水は着色されない。
【０２０２】
観察された色と明色化効果は、かくして処理されたトーンハイト４の毛髪で視覚化可能なままである。
【０２０３】
光に関する固着性
光固着性の研究を、天然の白髪及びパーマネントウェーブ処理した白髪の束を３時間Ｘｅｎｏｔｅｓｔに曝露することによって実施した。暴露条件は９０Ｗ／ｍ２、６０％の相対湿度、35℃のチェンバー温度である。
【０２０４】
光に対する暴露の3時間後、本発明の染料１及び２で染色した天然の白髪ＮＷ及びパーマネントウェーブ処理した白髪ＰＷは視覚的に変わらない。